(57)【要約】【課題】重み付けサブフィールド駆動で直流成分の残留を回避する。【解決手段】液晶装置１００は、信号線１２と走査線１１との交差に対応して各々設けられた画素回路ＰIXを含む。画素回路ＰIXは、選択スイッチＴSLを介して信号線１２に接続される画素電極４１を含む。また液晶装置１００は、各書込期間にて、ＶdataＨ又はＶdataＨを信号線１２に供給する信号線駆動回路２２と、書込期間Ｈ毎に走査線１１を順次選択して選択スイッチＴSLをオン状態にする走査線駆動回路２１と、容量電位線駆動回路２３とを含む。容量電位線駆動回路２３は、ＶcomＬ又はＶcomＨを容量電位Ｖcom[m]とし、各サブフィールドＳＦでは、書込期間Ｈ[m]が終了するとＶcom[m]の極性を反転し、最後のサブフィールドＳＦ４では、書込期間Ｈ[m-1]の開始時にＶcom[m]の極性を再度反転する。【選択図】図１２
2011107498.tif 000002
【特許請求の範囲】
【請求項１】
信号線と、容量電位線と、画素電極と共通電位が供給される共通電極とを含む液晶素子と、前記画素電極と前記容量電位線との間に介在する蓄積容量と、前記信号線と前記画素電極との間に設けられた選択スイッチとを備えた液晶装置の駆動方法であって、
単位期間を、互いに異なる長さのサブフィールド期間を含む偶数のサブフィールド期間で構成し、前記偶数のサブフィールド期間の各々に含まれる書込期間にて、第１電位と第２電位との何れかを前記信号線に供給し、
前記書込期間において前記選択スイッチがオン状態となるように制御して、前記画素電極に前記信号線の電位を書き込み、
低位側電位と高位側電位のうち一方の電位を容量電位として前記容量電位線に供給し、前記単位期間を構成する各サブフィールド期間では、前記書込期間が終了すると前記容量電位の極性を反転し、前記単位期間を構成する最後のサブフィールド期間では、前記容量電位の極性を反転してから当該最後のサブフィールド期間が終了するまでの期間において、前記容量電位の極性を再度反転する、
ことを特徴とする液晶装置の駆動方法。
【請求項２】
信号線と、容量電位線と、画素電極と共通電位が供給される共通電極とを含む液晶素子と、前記画素電極と前記容量電位線との間に介在する蓄積容量と、前記信号線と前記画素電極との間に設けられた選択スイッチとを備えた液晶装置の駆動方法であって、
単位期間を、互いに異なる長さのサブフィールド期間を含む偶数のサブフィールド期間で構成し、前記偶数のサブフィールド期間の各々に含まれる書込期間にて、第１電位と第２電位との何れかを前記信号線に供給し、
前記書込期間において前記選択スイッチがオン状態となるように制御して、前記画素電極に前記信号線の電位を書き込み、
低位側電位と高位側電位のうち一方の電位を容量電位として前記容量電位線に供給し、前記単位期間を構成する各サブフィールド期間では、前記書込期間が終了すると前記容量電位の極性を反転し、前記単位期間を構成するサブフィールド期間のうち最後のサブフィールド期間を除くサブフィールド期間では、前記容量電位の極性を反転してから当該サブフィールド期間が終了するまでの期間において前記容量電位の極性を再度反転し、前記最後のサブフィールド期間では、前記容量電位の極性を反転してから当該サブフィールド期間が終了するまでの期間において前記容量電位の極性を反転しない、
ことを特徴とする液晶装置の駆動方法。
【請求項３】
複数の信号線と、複数の走査線と、複数の容量電位線と、前記複数の信号線と前記複数の走査線との交差に対応して各々設けられた画素回路とを備えた液晶装置であって、
前記複数の画素回路の各々は、
画素電極と共通電位が供給される共通電極とを含む液晶素子と、
前記画素電極と前記容量電位線との間に介在する蓄積容量と、
前記信号線と前記画素電極との間に設けられた選択スイッチとを備え、
単位期間を、互いに異なる長さのサブフィールド期間を含む偶数のサブフィールド期間で構成し、前記偶数のサブフィールド期間の各々に含まれる書込期間にて、第１電位と第２電位との何れかを前記信号線に供給する信号線駆動回路と、
前記書込期間ごとに、前記複数の走査線を順次選択して前記選択スイッチをオン状態にする走査信号を供給する走査線駆動回路と、
低位側電位と高位側電位とのうち一方の電位を容量電位として前記複数の容量電位線に各々供給し、前記単位期間を構成する各サブフィールド期間では、当該容量電位線に対応する行の前記書込期間が終了すると前記容量電位の極性を反転し、前記単位期間を構成する最後のサブフィールド期間では、前記容量電位の極性を反転してから当該最後のサブフィールド期間が終了するまでの期間において、前記容量電位の極性を再度反転する容量電位線駆動回路と、
を備えることを特徴とする液晶装置。
【請求項４】
複数の信号線と、複数の走査線と、複数の容量電位線と、前記複数の信号線と前記複数の走査線との交差に対応して各々設けられた画素回路とを備えた液晶装置であって、
前記複数の画素回路の各々は、
画素電極と共通電位が供給される共通電極とを含む液晶素子と、
前記画素電極と前記容量電位線との間に介在する蓄積容量と、
前記信号線と前記画素電極との間に設けられた選択スイッチとを備え、
単位期間を、互いに異なる長さのサブフィールド期間を含む偶数のサブフィールド期間で構成し、前記偶数のサブフィールド期間の各々に含まれる書込期間にて、第１電位と第２電位との何れかを前記信号線に供給する信号線駆動回路と、
前記書込期間ごとに、前記複数の走査線を順次選択して前記選択スイッチをオン状態にする走査信号を供給する走査線駆動回路と、
低位側電位と高位側電位のうち一方の電位を容量電位として前記複数の容量電位線の各々に供給し、前記単位期間を構成する各サブフィールド期間では、前記書込期間が終了すると前記容量電位の極性を反転し、前記単位期間を構成するサブフィールド期間のうち最後のサブフィールド期間を除くサブフィールド期間では、前記容量電位の極性を反転してから当該サブフィールド期間が終了するまでの期間において前記容量電位の極性を再度反転し、前記最後のサブフィールド期間では、前記容量電位の極性を反転してから当該サブフィールド期間が終了するまでの期間において前記容量電位の極性を反転しない容量電位線駆動回路と、
を備えることを特徴とする液晶装置。
【請求項５】
複数の信号線と、複数の走査線と、複数の容量電位線と、前記複数の信号線と前記複数の走査線との交差に対応して各々設けられた画素回路とを備えた液晶装置であって、
前記複数の画素回路の各々は、
画素電極と共通電位が供給される共通電極とを含む液晶素子と、
前記画素電極と前記容量電位線との間に介在する蓄積容量と、
前記信号線と前記画素電極との間に設けられた選択スイッチとを備え、
単位期間を、互いに異なる長さのサブフィールド期間を含む偶数のサブフィールド期間で構成し、前記偶数のサブフィールド期間の各々に含まれる書込期間にて、第１電位と第２電位との何れかを前記信号線に供給する信号線駆動回路と、
前記書込期間ごとに、前記複数の走査線を順次選択して前記選択スイッチをオン状態にする走査信号を供給する走査線駆動回路とを備え、
低位側電位と高位側電位のうち一方の電位を容量電位として前記複数の容量電位線の各々に供給する第１処理と第２処理とのうち一方を選択的に実行する容量電位線駆動回路とを備え、
前記第１処理は、前記単位期間を構成する各サブフィールド期間では、当該容量電位線に対応する行の前記書込期間が終了すると前記容量電位の極性を反転し、前記単位期間を構成する最後のサブフィールド期間では、前記容量電位の極性を反転してから当該最後のサブフィールド期間が終了するまでの期間において、前記容量電位の極性を再度反転し、
前記第２処理は、前記単位期間を構成する各サブフィールド期間では、前記書込期間が終了すると前記容量電位の極性を反転し、前記単位期間を構成するサブフィールド期間のうち最後のサブフィールド期間を除くサブフィールド期間では、前記容量電位の極性を反転してから当該サブフィールド期間が終了するまでの期間において前記容量電位の極性を再度反転し、前記最後のサブフィールド期間では、前記容量電位の極性を反転してから当該サブフィールド期間が終了するまでの期間において前記容量電位の極性を反転しない、
ことを特徴とする液晶装置。
【請求項６】
第１の極性信号と第２の極性信号とを生成する極性信号生成回路を備え、
前記容量電位線駆動回路は、
当該容量電位線の行より一行前の行に対応する前記走査信号で指定される書込期間においては、第１の極性信号に基づいて前記低位側電位と前記高位側電位のうち一方の電位を前記容量電位として選択し、
当該行の書込期間においては、直前の容量電位を保持し、
当該容量電位線の行より一行後の行に対応する前記走査信号で指定される書込期間においては、第２の極性信号に基づいて前記低位側電位と前記高位側電位のうち一方の電位を前記容量電位として選択する、
ことを特徴とする請求項３乃至５のうちいずれか１項に記載の液晶装置。
【請求項７】
前記容量電位線駆動回路は、
前記複数の容量電位線の各々に設けられたサンプリング回路と、前記サンプリング回路の出力信号に基づいて前記低位側電位と前記高位側電位との一方を選択する選択回路とを備え、
前記サンプリング回路は、
前記第１の極性信号が一方の端子に供給され他方の端子が第１ノードと接続される第１スイッチと、
前記第１ノードが一方の端子に接続される第２スイッチと、
前記第２の極性信号が一方の端子に供給され他方の端子が前記第１ノードに接続される第３スイッチと、
前記第１ノードに入力端子が接続され出力端子に第２ノードが接続されるバッファ回路と、
前記第２ノードと一方の端子が接続され他方の端子が前記第２スイッチの他方の端子と接続される第４スイッチとを備え、
前記第１スイッチと前記第２スイッチとの制御端子には、当該容量電位線の行より一行前の行に対応する前記走査信号が供給され、前記第１スイッチと前記第２スイッチとは排他的にオン状態となり、
前記第３スイッチと前記第１スイッチとの制御端子には、当該容量電位線の行より一行後の行に対応する前記走査信号が供給され、前記第３スイッチと前記第４スイッチとは排他的にオン状態となる、
ことを特徴とする請求項６に記載の液晶装置。
【請求項８】
前記複数の走査線の選択方向に同期して前記第１の極性信号及び前記第２の極性信号を入れ替える極性信号供給回路を備えることを特徴とする請求項７に記載の液晶装置。
【請求項９】
請求項３乃至８のうちいずれか１項に記載の液晶装置を備えることを特徴とする電子機器。
【発明の詳細な説明】
【技術分野】
【０００１】
本発明は、液晶装置の駆動に関する。
【背景技術】
【０００２】
液晶装置の駆動では、直流成分の残留による液晶素子の劣化を抑制するために液晶素子の印加電圧の極性を繰り返し反転させる交流駆動が一般的である。この交流駆動の方法として、特許文献１には、信号線に信号を供給して液晶素子の画素電極に電位を書き込む信号線駆動回路の出力レンジを縮小し、消費電力を抑制するために、画素電極に書き込んだ電位を容量結合によって変動させて液晶素子の印加電圧を所望の電圧とする駆動方法が記載されている。以降、この駆動方法を「容量線駆動」と呼ぶ。特許文献１に記載の容量線駆動では、液晶素子の印加電圧の極性は、画素電極への電位の書き込み毎に反転する。
【０００３】
一方、液晶装置の駆動方法として、１フレームを複数のサブフィールドに分割し、各サブフィールドでは二つの電圧（絶対値）のうちの何れか一方を液晶素子に印加することにより、液晶素子に多階調を表示させるサブフィールド駆動が知られている。特許文献２には、このサブフィールド駆動の一種であり、サブフィールドの数を減らすために、１フレームに含まれる複数のサブフィールドの長さが互いに異なるようにした駆動方法が記載されている。以降、この駆動方法を、「重み付けサブフィールド駆動」と呼ぶ。
【先行技術文献】
【特許文献】
【０００４】
【特許文献１】特開２００２−１９６３５８号公報
【特許文献２】特開２００３−１１４６６１号公報
【発明の概要】
【発明が解決しようとする課題】
【０００５】
ここで、特許文献１に記載の容量線駆動の利点と重み付けサブフィールド駆動の利点との両方を得るために、両駆動を組み合わせることを想定する。この場合、１フレームあたりのサブフィールド数が偶数の場合に問題が生じる。この問題について、図２８を参照して説明する。この説明では、両駆動を組み合わせた液晶装置を「従来の液晶装置」と呼ぶ。
【０００６】
図２８には、従来の液晶装置において、１フレームあたりのサブフィールド数が４の場合、かつ、第０階調から第１５階調までの計１６階調を表示する場合の、ノーマリーブラックの液晶素子に対する電圧印加パターンが、第ｋフレームと第ｋ＋１フレームとにわたって示されている。各階調に対応する式は、その階調を第ｋフレーム及び第ｋ＋１フレームにわたって表示させる場合に当該液晶素子４０に印加される正電圧の時間積分値（絶対値）と負電圧の時間積分値（絶対値）との比較式である。
【０００７】
特許文献１に記載の容量線駆動では、液晶素子の印加電圧の極性は、画素電極への電位の書き込み毎に反転する。一方、サブフィールド駆動では、画素電極への電位の書き込みはサブフィールド毎に行われる。よって、従来の液晶装置では、図２８に示すように、液晶素子の印加電圧の極性がサブフィールド毎に反転することになる。つまり、液晶素子の印加電圧の極性が正極性（＋）のサブフィールドと液晶素子の印加電圧の極性が負極性（−）のサブフィールドとが交互に並ぶことになる。
【０００８】
したがって、第ｋフレーム内のあるサブフィールドに係る極性と、当該サブフィールドと同じ長さの、第ｋ＋１フレーム内のサブフィールドに係る極性は、１フレームあたりのサブフィールド数が奇数の場合には反転の関係になるが、偶数の場合には反転の関係にならない。例えば、第７階調に注目した場合、サブフィールドＳＦ１に係る印加電圧は第ｋフレームでも第ｋ＋１フレームでも＋５Ｖである。したがって、１フレームあたりのサブフィールド数が偶数の場合には、図２８に示すように、第０階調を除き、比較式が不等式となってしまう。
【０００９】
これは、第０階調を除き、直流成分が残留することを意味する。直流成分の残留は液晶素子の劣化を速める要因となる。
そこで、本発明は、容量線駆動と重み付けサブフィールド駆動との両方を採用しつつ、単位期間あたりのサブフィールド数が偶数であっても、直流成分の残留を回避することができる液晶装置、その駆動方法、及び電子機器の提供を目的としている。
【課題を解決するための手段】
【００１０】
本発明に係る液晶装置の駆動方法は、信号線と、容量電位線と、画素電極と共通電位が供給される共通電極とを含む液晶素子と、前記画素電極と前記容量電位線との間に介在する蓄積容量と、前記信号線と前記画素電極との間に設けられた選択スイッチとを備えた液晶装置の駆動方法であって、フレーム等の単位期間を互いに異なる長さのものを含む偶数のサブフィールド期間で構成し、前記偶数のサブフィールド期間の各々に含まれる書込期間にて、第１電位と第２電位との何れかを前記信号線に供給し、前記書込期間において前記選択スイッチがオン状態となるように制御して、前記画素電極に前記信号線の電位を書き込み、低位側電位と高位側電位のうち一方の電位を容量電位として前記容量電位線に供給し、前記単位期間を構成する各サブフィールド期間では、前記書込期間が終了すると前記容量電位の極性を反転し、前記単位期間を構成する最後のサブフィールド期間では、前記容量電位の極性を反転してから当該最後のサブフィールド期間が終了するまでの期間において、前記容量電位の極性を再度反転することを特徴とする。
この駆動方法によれば、単位期間を構成する各サブフィールド期間では、書込期間が終了すると容量電位の極性を反転し、単位期間を構成する最後のサブフィールド期間では、容量電位の極性を反転してから当該最後のサブフィールド期間が終了するまでの期間において、容量電位の極性を再度反転する処理（第１処理）が行われるから、単位期間に含まれるサブフィールド期間の数をｑ（偶数）とした場合、容量電位の極性は、各単位期間においてｑ＋１（奇数）回ずつ反転する。つまり、隣り合う二つの単位期間の間で、長さが等しい対応するサブフィールド期間における容量電位の反転方向が逆向きとなる。よって、隣り合う二つの単位期間では、液晶素子への印加電圧の直流成分が打ち消される。すなわち、この駆動方法によれば、直流成分の残留を回避することができる。
なお、「極性反転」とは、容量電位が２値の電位を取る場合に、両方の電位の平均電位を基準として高電位を正極性、低電位を負極性としたとき、容量電位を、正極性から負極性へあるいは負極性から正極性に遷移させることをいう。
【００１１】
本発明に係る別の液晶装置の駆動方法は、信号線と、容量電位線と、画素電極と共通電位が供給される共通電極とを含む液晶素子と、前記画素電極と前記容量電位線との間に介在する蓄積容量と、前記信号線と前記画素電極との間に設けられた選択スイッチとを備えた液晶装置の駆動方法であって、フレーム等の単位期間を互いに異なる長さのものを含む偶数のサブフィールド期間で構成し、前記偶数のサブフィールド期間の各々に含まれる書込期間にて、第１電位と第２電位との何れかを前記信号線に供給し、前記書込期間において前記選択スイッチがオン状態となるように制御して、前記画素電極に前記信号線の電位を書き込み、低位側電位と高位側電位のうち一方の電位を容量電位として前記容量電位線に供給し、前記単位期間を構成する各サブフィールド期間では、前記書込期間が終了すると前記容量電位の極性を反転し、前記単位期間を構成するサブフィールド期間のうち最後のサブフィールド期間を除くサブフィールド期間では、前記容量電位の極性を反転してから当該サブフィールド期間が終了するまでの期間において前記容量電位の極性を再度反転し、前記最後のサブフィールド期間では、前記容量電位の極性を反転してから当該サブフィールド期間が終了するまでの期間において前記容量電位の極性を反転しないことを特徴とする。
この駆動方法によれば、前記単位期間を構成する各サブフィールド期間では、前記書込期間が終了すると前記容量電位の極性を反転し、前記単位期間を構成するサブフィールド期間のうち最後のサブフィールド期間を除くサブフィールド期間では、前記容量電位の極性を反転してから当該サブフィールド期間が終了するまでの期間において前記容量電位の極性を再度反転し、前記最後のサブフィールド期間では、前記容量電位の極性を反転してから当該サブフィールド期間が終了するまでの期間において前記容量電位の極性を反転しない処理（第２処理）が行われるから、単位期間に含まれるサブフィールド期間の数をｑ（偶数）とした場合、容量電位の極性は、各単位期間において２×ｑ−１（奇数）回ずつ反転する。つまり、隣り合う二つの単位期間の間で、長さが等しい対応するサブフィールド期間における容量電位の反転方向が逆向きとなる。よって、隣り合う二つの単位期間では、液晶素子への印加電圧の直流成分が打ち消される。すなわち、この駆動方法によれば、直流成分の残留を回避することができる。
【００１２】
本発明に係る液晶装置は、複数の信号線と、複数の走査線と、複数の容量電位線と、前記複数の信号線と前記複数の走査線との交差に対応して各々設けられた画素回路とを備えた液晶装置であって、前記複数の画素回路の各々は、画素電極と共通電位が供給される共通電極とを含む液晶素子と、前記画素電極と前記容量電位線との間に介在する蓄積容量と、前記信号線と前記画素電極との間に設けられた選択スイッチとを備え、フレーム等の単位期間を互いに異なる長さのものを含む偶数のサブフィールド期間で構成し、前記偶数のサブフィールド期間の各々に含まれる書込期間にて、第１電位と第２電位との何れかを前記信号線に供給する信号線駆動回路と、前記書込期間ごとに、前記複数の走査線を順次選択して前記選択スイッチをオン状態にする走査信号を供給する走査線駆動回路と、低位側電位と高位側電位とのうち一方の電位を容量電位として前記複数の容量電位線に各々供給し、前記単位期間を構成する各サブフィールド期間では、当該容量電位線に対応する行の前記書込期間が終了すると前記容量電位の極性を反転し、前記単位期間を構成する最後のサブフィールド期間では、前記容量電位の極性を反転してから当該最後のサブフィールド期間が終了するまでの期間において、前記容量電位の極性を再度反転する容量電位線駆動回路とを備えることを特徴とする。
この液晶装置では、第１処理が行われるから、直流成分の残留を回避することができる。
また、書込期間が終了すると行われる容量電位の極性の反転の方向（プッシュ方向）がサブフィールド期間毎に異なる場合、各サブフィールド期間において、隣り合う行間で画素電極の電位が大きく異なる箇所（図１４参照）が表示領域を走査することになり、コントラスト低下等の表示品位の低下を招くが、第１処理では、プッシュ方向が、ある単位期間の最後のサブフィールド期間と、次の単位期間の最初のサブフィールド期間との間で一致するから、上記の箇所による走査の回数が減る。つまり、この液晶装置によれば、表示品位を向上させることができる。
ところで、この液晶装置であっても、一つのフレームに注目すれば、直流成分が残留する。しかし、第１処理では、プッシュ方向が原則としてサブフィールド期間毎に反転するから、一つの単位期間に注目した場合でも、残留する直流成分の最大値（絶対値）を小さく抑制することができる。これは、液晶素子の劣化の抑制に寄与する。
【００１３】
本発明に係る別の液晶装置は、複数の信号線と、複数の走査線と、複数の容量電位線と、前記複数の信号線と前記複数の走査線との交差に対応して各々設けられた画素回路とを備えた液晶装置であって、前記複数の画素回路の各々は、画素電極と共通電位が供給される共通電極とを含む液晶素子と、前記画素電極と前記容量電位線との間に介在する蓄積容量と、前記信号線と前記画素電極との間に設けられた選択スイッチとを備え、フレーム等の単位期間を互いに異なる長さのものを含む偶数のサブフィールド期間で構成し、前記偶数のサブフィールド期間の各々に含まれる書込期間にて、第１電位と第２電位との何れかを前記信号線に供給する信号線駆動回路と、前記書込期間ごとに、前記複数の走査線を順次選択して前記選択スイッチをオン状態にする走査信号を供給する走査線駆動回路と、低位側電位と高位側電位のうち一方の電位を容量電位として前記複数の容量電位線の各々に供給し、前記単位期間を構成する各サブフィールド期間では、前記書込期間が終了すると前記容量電位の極性を反転し、前記単位期間を構成するサブフィールド期間のうち最後のサブフィールド期間を除くサブフィールド期間では、前記容量電位の極性を反転してから当該サブフィールド期間が終了するまでの期間において前記容量電位の極性を再度反転し、前記最後のサブフィールド期間では、前記容量電位の極性を反転してから当該サブフィールド期間が終了するまでの期間において前記容量電位の極性を反転しない容量電位線駆動回路とを備えることを特徴とする。
この液晶装置では、第２処理が行われるから、直流成分の残留を回避することができる。また、第２処理では、プッシュ方向が単位期間内で共通となるから、隣り合う行間で画素電極の電位が大きく異なる箇所（図１４参照）による走査の回数が大幅に減る。したがって、この液晶装置によれば、表示品位を大幅に向上させることができる。
【００１４】
本発明に係るさらに別の液晶装置は、複数の信号線と、複数の走査線と、複数の容量電位線と、前記複数の信号線と前記複数の走査線との交差に対応して各々設けられた画素回路とを備えた液晶装置であって、前記複数の画素回路の各々は、画素電極と共通電位が供給される共通電極とを含む液晶素子と、前記画素電極と前記容量電位線との間に介在する蓄積容量と、前記信号線と前記画素電極との間に設けられた選択スイッチとを備え、フレーム等の単位期間を互いに異なる長さのものを含む偶数のサブフィールド期間で構成し、前記偶数のサブフィールド期間の各々に含まれる書込期間にて、第１電位と第２電位との何れかを前記信号線に供給する信号線駆動回路と、前記書込期間ごとに、前記複数の走査線を順次選択して前記選択スイッチをオン状態にする走査信号を供給する走査線駆動回路とを備え、低位側電位と高位側電位のうち一方の電位を容量電位として前記複数の容量電位線の各々に供給する第１処理と第２処理とのうち一方を選択的に実行する容量電位線駆動回路とを備え、前記第１処理は、前記単位期間を構成する各サブフィールド期間では、当該容量電位線に対応する行の前記書込期間が終了すると前記容量電位の極性を反転し、前記単位期間を構成する最後のサブフィールド期間では、前記容量電位の極性を反転してから当該最後のサブフィールド期間が終了するまでの期間において、前記容量電位の極性を再度反転し、前記第２処理は、前記単位期間を構成する各サブフィールド期間では、前記書込期間が終了すると前記容量電位の極性を反転し、前記単位期間を構成するサブフィールド期間のうち最後のサブフィールド期間を除くサブフィールド期間では、前記容量電位の極性を反転してから当該サブフィールド期間が終了するまでの期間において前記容量電位の極性を再度反転し、前記最後のサブフィールド期間では、前記容量電位の極性を反転してから当該サブフィールド期間が終了するまでの期間において前記容量電位の極性を反転しないことを特徴とする。
この液晶装置では、第１処理又は第２処理が行われるから、直流成分の残留を回避することができる。また、この液晶装置には、容量電位線駆動回路に実行される処理が、表示する画像の種類に基づいて選択される液晶装置も含まれる。そのような液晶装置としては、焼きつきが生じ難い動画像を表示する場合には第２処理を実行し、焼きつきが生じ易い静止画像を表示する場合には第１処理を実行する液晶装置や、焼きつきが生じ難い自然画像（例えば写真）を表示する場合には第２処理を実行し、焼きつきが生じ易いコンピュータグラフィックス（例えばメニュー画像）を表示する場合には第１処理を実行する液晶装置を例示可能である。
【００１５】
ところで、第１処理としては、前記単位期間を構成する最後のサブフィールド期間では、前記容量電位の極性を反転した後の時点であって、当該最後のサブフィールド期間の終了から前記書込期間の長さだけ前の時点から、当該最後のサブフィールド期間の終了までの期間において、前記容量電位の極性を再度反転する処理が好ましい。この処理によれば、再度の反転による階調表示の精度の低下を十分に抑制することができる。また、第２処理としては、前記単位期間を構成するサブフィールド期間のうち最後のサブフィールド期間を除くサブフィールド期間では、前記容量電位の極性を反転した後の時点であって、当該サブフィールド期間の終了から前記書込期間の長さだけ前の時点から、当該サブフィールド期間が終了するまでの期間において、前記容量電位の極性を再度反転する処理が好ましい。この処理によれば、再度の反転による階調表示の精度の低下を十分に抑制することができる。
【００１６】
上記の各液晶装置において、第１の極性信号と第２の極性信号とを生成する極性信号生成回路を備え、前記容量電位線駆動回路は、当該容量電位線の行より一行前の行に対応する前記走査信号で指定される書込期間においては、第１の極性信号に基づいて前記低位側電位と前記高位側電位のうち一方の電位を前記容量電位として選択し、当該行の書込期間においては、直前の容量電位を保持し、当該容量電位線の行より一行後の行に対応する前記走査信号で指定される書込期間においては、第２の極性信号に基づいて前記低位側電位と前記高位側電位のうち一方の電位を前記容量電位として選択するようにしてもよい。この液晶装置によれば、第１の極性信号と第２の極性信号とを適切に定めるだけで、容量電位を適切に変動させることができる。
【００１７】
この液晶装置の構成としては、前記容量電位線駆動回路が、前記複数の容量電位線の各々に設けられたサンプリング回路と、前記サンプリング回路の出力信号に基づいて前記低位側電位と前記高位側電位との一方を選択する選択回路とを備え、前記サンプリング回路は、前記第１の極性信号が一方の端子に供給され他方の端子が第１ノードと接続される第１スイッチと、前記第１ノードが一方の端子に接続される第２スイッチと、前記第２の極性信号が一方の端子に供給され他方の端子が前記第１ノードに接続される第３スイッチと、前記第１ノードに入力端子が接続され出力端子に第２ノードが接続されるバッファ回路と、前記第２ノードと一方の端子が接続され他方の端子が前記第２スイッチの他方の端子と接続される第４スイッチとを備え、前記第１スイッチと前記第２スイッチとの制御端子には、当該容量電位線の行より一行前の行に対応する前記走査信号が供給され、前記第１スイッチと前記第２スイッチとは排他的にオン状態となり、前記第３スイッチと前記第４スイッチとの制御端子には、当該容量電位線の行より一行後の行に対応する前記走査信号が供給され、前記第３スイッチと前記第４スイッチとは排他的にオン状態となるものが挙げられる。
【００１８】
この構成によれば、複数の走査線の選択方向が切り換わっても、第１の極性信号と第２の極性信号とを入れ替えるだけで容量電位を適切に変動させることができる。したがって、この構成の液晶装置に、前記複数の走査線の選択方向に同期して前記第１の極性信号及び前記第２の極性信号を入れ替える極性信号供給回路を設ければ、容量電位線駆動回路は、複数の走査線の選択方向を示す信号の供給を受けずとも、複数の走査線の選択方向に同期して容量電位を変動させることができる。
【００１９】
上記の各液晶装置は各種の電子機器に利用される。電子機器の典型例は、液晶装置を表示装置として利用した機器である。具体的には携帯電話機や携帯情報端末が本発明の電子機器として例示される。また、光源からの出射光を変調する光変調体として以上の各態様の液晶装置を利用した投写型表示装置も本発明の電子機器の概念に包含される。投写型表示装置は、光線を出射する光源と、光源からの出射光を変調する以上の各態様の液晶装置と、液晶装置による変調光を投射面に投射する光学系とを具備する。
【図面の簡単な説明】
【００２０】
【図１】本発明の第１実施形態に係る液晶装置１００の構成を示すブロック図である。
【図２】液晶装置１００内の画素回路ＰIXの構成を示す回路図である。
【図３】画素回路ＰIXの動作（書込）を説明するための図である。
【図４】画素回路ＰIXの動作（極性反転）を説明するための図である。
【図５】液晶装置１００内の信号線駆動回路２２の構成を示すブロック図である
【図６】液晶装置１００内の単位回路Ｒ[m]の構成を示すブロック図である。
【図７】単位回路Ｒ[m]の動作（第ｍ−１行選択時）を説明するための図である。
【図８】単位回路Ｒ[m]の動作（第ｍ行選択時）を説明するための図である。
【図９】単位回路Ｒ[m]の動作（第ｍ＋１行選択時）を説明するための図である。
【図１０】単位回路Ｒ[m]の動作（第ｍ＋１行の次の行選択時）を説明するための図である。
【図１１】単位回路Ｒ[m]の入出力特性を示す図である。
【図１２】液晶装置１００の各部の電位の変動を示すタイミングチャートである。
【図１３】液晶装置１００の利点を示す概念図である。
【図１４】液晶装置１００の他の利点を示す概念図である。
【図１５】本発明の第２実施形態に係る液晶装置２００の構成を示すブロック図である。
【図１６】液晶装置２００の各部の電位の変動を示すタイミングチャートである。
【図１７】液晶装置２００の他の利点を示す概念図である。
【図１８】本発明の第３実施形態に係る液晶装置３００の構成を示すブロック図である。
【図１９】本発明の第４実施形態に係る液晶装置４００の構成を示すブロック図である。
【図２０】液晶装置４００内の走査線駆動回路７１の構成を示すブロック図である
【図２１】液晶装置４００内の極性信号供給回路７２の構成を示す回路図である
【図２２】液晶装置４００の各部の電位の変動を示すタイミングチャートである。
【図２３】本発明の第５実施形態に係る液晶装置５００の構成を示すブロック図である。
【図２４】液晶装置５００の各部の電位の変動を示すタイミングチャートである。
【図２５】本発明に係る電子機器の外観を示す斜視図である。
【図２６】本発明に係る別の電子機器の外観を示す斜視図である。
【図２７】本発明に係る更に別の電子機器の外観を示す斜視図である。
【図２８】従来の液晶装置の欠点を示す概念図である。
【発明を実施するための形態】
【００２１】
＜１：第１実施形態＞
図１は、本発明の第１実施形態に係る液晶装置１００の構成を示すブロック図である。液晶装置１００は、画像を表示する表示体として様々な電子機器に採用される液晶装置であり、複数の画素回路ＰIXが平面状に配列された素子部（表示領域）１０と、各画素回路ＰIXを交流駆動する駆動回路２０と、駆動回路２０を制御する制御回路３０とを備える。駆動回路２０は、走査線駆動回路２１と信号線駆動回路２２と容量電位線駆動回路２３とを備える。後に詳述するが、上記の交流駆動では、各画素回路ＰIXに含まれる液晶素子の印加電圧の極性（正極性／負極性）がサブフィールド単位で反転し得る。
【００２２】
素子部１０には、Ｘ方向に延在するＭ本の走査線１１と、Ｘ方向に交差するＹ方向に延在するＮ本の信号線１２とが形成される（ＭおよびＮは２以上の自然数）。複数の画素回路ＰIXは、各走査線１１と各信号線１２との交差に対応して配置されて縦Ｍ行×横Ｎ列の行列状に配列する。また、素子部１０には、各走査線１１に対応してＸ方向に延在するＭ本の容量電位線１３とが形成される。
【００２３】
制御回路３０は、液晶装置１００の動作を規定する各種の信号や電位を生成して駆動回路２０に供給する。具体的には、制御回路３０は、第１クロック信号ＣＬＫ１と、第１開始パルスＳＰ１とを生成して走査線駆動回路２１に供給し、画像信号ＤＡＴＡと、第２開始パルスＳＰ２と、第２クロック信号ＣＬＫ２と、ラッチパルスＬＰとを生成し、信号線駆動回路２２に供給し、高位側電位ＶcomＨ（１．２５Ｖ）及び低位側電位ＶcomＬ（−１．２５Ｖ）を生成して容量電位線駆動回路２３に供給し、共通電位LCCOM（０Ｖ）を生成して共通電極４２に供給する。
【００２４】
第１開始パルスＳＰ１は、一定周期のパルスであり、その電位は、各周期において、先頭の一定長の期間ではアクティブレベル（オン電位Ｖon）を維持し、他の期間では非アクティブレベル（オフ電位Ｖoff）を維持する。第１開始パルスＳＰ１の周期は、各画素回路ＰIXが画素の階調を表示する単位期間（フレーム）の長さと一致する。画像信号ＤＡＴＡでは、各画素回路ＰIXの液晶素子の階調（白階調／黒階調）を指定する階調データが、行毎に昇順に並び、各行においては列毎に昇順に並ぶ。
【００２５】
また、制御回路３０は極性信号生成回路３１を備える。極性信号生成回路３１は、液晶素子４０の印加電圧の極性を指定する第１の極性信号ＰＯＬ１及び第２の極性信号ＰＯＬ２を生成し、容量電位線駆動回路２３に供給する。極性信号ＰＯＬ１及び極性信号ＰＯＬ２は電圧信号であり、各信号の電位は、正電位であるＶＨとＶＨの極性を反転したＶＬとの間で遷移する。この例では、極性信号ＰＯＬ１の電位と極性信号ＰＯＬ２の電位は、常に極性が逆である。つまり、極性信号ＰＯＬ１の電位がＶＨのときには、極性信号ＰＯＬ２の電位はＶＬであり、極性信号ＰＯＬ１の電位がＶＬのときには、極性信号ＰＯＬ２の電位はＶＨである。
【００２６】
走査線駆動回路２１は、Ｍ本の走査線１１を、第１行から第Ｍ行への方向（順方向）へ、所定の期間（以下「書込期間」という）毎に順次に選択する。走査線駆動回路２１は、例えばＭ＋２段のシフトレジスタであり、第１開始パルスＳＰ１を第１クロック信号ＣＬＫ１で指定されるタイミングで次段へ転送することによって走査信号Ｇ[0]〜Ｇ[M+1]を生成し、そのうちの走査信号Ｇ[1]〜Ｇ[M]を各走査線１１に出力することにより、上記の選択を行う。
【００２７】
なお、走査信号Ｇ[0]及びＧ[M+1]は、走査線１１に出力されることのないダミー信号であり、容量電位線駆動回路２３に供給される。以降、走査信号Ｇ[0]〜Ｇ[M+1]のうち、走査信号Ｇ[0]のみがオン電位Ｖonの期間を「書込期間Ｈ[0]」と呼び、走査信号Ｇ[M+1]のみがオン電位Ｖonの期間を「書込期間Ｈ[M+1]」と呼ぶ。
【００２８】
信号線駆動回路２２は、走査線駆動回路２１による各走査線１１の選択に同期して、Ｎ本の信号線１２の電位を制御する。具体的には、画像信号ＤＡＴＡと第２開始パルスＳＰ２と第２クロック信号ＣＬＫ２とラッチパルスＬＰとに基づいて、書込期間Ｈ[m]にて、第ｍ行の各画素回路ＰIXの液晶素子の階調（白階調／黒階調）を指定する階調信号Ｓ[1]〜Ｓ[N]を、各信号線１２に供給する。階調信号Ｓ[n]の電位Ｖdataは、第１電位ＶdataＨ（２．５Ｖ）と第２電位ＶdataＬ（−２．５Ｖ）との何れか一方である。
【００２９】
容量電位線駆動回路２３は、走査線駆動回路２１による各走査線１１の選択に同期して、Ｍ本の容量電位線１３の電位（以下「容量電位」という）Ｖcom[1]〜Ｖcom[M]を制御する。具体的には、走査信号Ｇ[0]〜Ｇ[M+1]と極性信号ＰＯＬ１と極性信号ＰＯＬ２とに基づいて、容量電位線１３毎に高位側電位ＶcomＨ及び低位側電位ＶcomＬのうち一方を選択し、選択した電位を対応する容量電位線１３へ供給する。
【００３０】
図２は、各画素回路ＰIXの構成を示す回路図である。図２においては、第ｍ行（ｍ＝１〜Ｍ）第ｎ列（ｎ〜１〜Ｎ）に位置する１個の画素回路ＰIXが代表的に図示されている。図２に示すように、画素回路ＰIXは、液晶素子４０と選択スイッチＴSLと蓄積容量ＣSとを備える。選択スイッチＴSLは、例えば素子基板の面上に形成された任意の導電型の薄膜トランジスタで構成される。第ｍ行の各画素回路ＰIXにおける選択スイッチＴSLのゲートは、第ｍ行に対応する走査線１１に共通に接続される。
【００３１】
液晶素子４０は、画素電極４１と共通電極（対向電極）４２と両電極間の液晶４３とで構成される液晶素子である。画素電極４１は、素子基板（図示略）の面上に画素回路ＰIX毎に独立に形成され、共通電極４２は、素子基板に対向する対向基板（図示略）の面上に複数の画素回路ＰIXにわたって共通に形成される（図１参照）。共通電極４２には、固定の共通電位LCCOM（０Ｖ）が供給される。画素電極４１と共通電極４２との間の液晶４３は、両電極間の電圧に応じて階調（透過率や反射率）が変化する。液晶４３は、垂直配向型（ＶＡ(Vertical Alignment)）に設定され、画素電極４１と共通電極４２との間の電圧が０Ｖである場合に最低階調（黒階調）となるノーマリーブラックモードで動作する。
【００３２】
第ｎ列の各画素回路ＰIXの選択スイッチＴSLは、画素電極４１と第ｎ列の信号線１２との間に介在して両者の電気的な接続（導通／非導通）を制御する。第ｍ行の各画素回路ＰIXの蓄積容量ＣSは、画素電極４１と第ｍ行に対応する容量電位線１３の間に介在する容量素子である。具体的には、蓄積容量ＣSは、画素電極４１に接続された電極ＥA1と容量電位線１３に接続された電極ＥA2と両電極間の誘電体とで構成される。蓄積容量ＣSは、画素電極４１の電位（液晶素子４０の印加電圧）を保持する機能と、容量電位Ｖcom[m]に応じて画素電極４１の電位を変動させる結合容量の機能とを兼備する。
【００３３】
詳しくは後述するが、容量電位Ｖcom[m]は、正電位である高位側電位ＶcomＨと高位側電位ＶcomＨの極性を反転した電位である低位側電位ＶcomＬとの間で遷移し、走査線１１から供給される走査信号Ｇ[m]の電位は、選択スイッチＴSLをオン状態とするオン電位Ｖonと選択スイッチＴSLをオフ状態とするオフ電位Ｖoffとの間で遷移する。図３に示すように、第ｍ行第ｎ列の画素回路ＰIXでは、走査信号Ｇ[m]の電位がＶonの期間（第ｍ行の書込期間Ｈ[m]）において、選択スイッチＴSLがオン状態となり、階調信号Ｓ[n]が画素電極４１へ供給される。よって、この画素電極４１の電位Ｖpは、階調信号Ｓ[n]の電位Ｖdataへ遷移する。
【００３４】
そして、走査信号Ｇ[m]の電位がＶonからＶoffへ遷移し、書込期間Ｈ[m]が終了した後に、容量電位Ｖcom[m]の極性が反転する。これにより、図４に示すように、第ｍ行の各画素回路ＰIXでは、電極ＥA2の電位が、ＶcomＬからＶcomＨへ、又はＶcomＨからＶcomＬへ変化し、これに伴って、電極ＥA1の電位がＶdataからＶcomＨ−ＶcomＬだけ上下する。よって、画素電極４１の電位Ｖpは、Ｖdata＋（ＶcomＨ−ＶcomＬ）又はＶdata−（ＶcomＨ−ＶcomＬ）となり、これが、液晶素子４０の印加電圧となる。なお実際には蓄積容量ＣＳと液晶容量、及び画素電極４１に寄生する容量間で電荷の再分配が行われるために、単純にＶcomＨ−ＶcomＬが画素電極電位の変動量になるものではない。本発明では説明の簡便化のために上記電荷再分配の点は単純化している。この単純化は本発明の本質を損なうものではない。
【００３５】
ＶcomＨ−ＶcomＬ＝１．２５Ｖ＋１．２５Ｖ＝５Ｖ＞０Ｖであるから、結局、液晶素子４０の印加電圧は、Ｖdata＝ＶdataＨかつＶp＝Ｖdata＋（ＶcomＨ−ＶcomＬ）の場合には、ＶdataＨよりも高くなり、Ｖdata＝ＶdataＬかつＶp＝Ｖdata−（ＶcomＨ−ＶcomＬ）の場合には、ＶdataＬよりも低くなる。つまり、画素回路ＰIXは、液晶素子４０が交流駆動されることを前提としており、適切に駆動されることにより、Ｖdataの振れ幅（絶対値）を狭くしつつ（ＶdataＨとしつつ）、液晶素子４０の印加電圧の振れ幅（絶対値）を広くすること（ＶdataＨ＋（ＶcomＨ−ＶcomＬ）とすること）、すなわち駆動回路２０にかかる負担を軽減しつつコントラストを上げることができる。
【００３６】
図５は、信号線駆動回路２２の構成を示すブロック図である。図５に示すように、信号線駆動回路２２は、Ｎ段のシフトレジスタ２１１と第１ラッチ回路２１２と第２ラッチ回路２１３とを備える。シフトレジスタ２１１は、第２開始パルスＳＰ２を第２クロック信号ＣＬＫ２で指定されるタイミングで次段に転送することにより、書込期間Ｈ[m]内において、Ｎ系統の選択信号ＳEL[1]〜ＳEL[N]を順次にアクティブに設定する。第１ラッチ回路２１２は、選択信号ＳEL[n]がアクティブに設定された時点で制御回路３０から供給されている画像信号ＤＡＴＡを取り込んで保持し、保持しているデータを階調データＤ[n]として出力する。すなわち、階調データＤ[1]〜Ｄ[N]が点順次で第１ラッチ回路２１２から並列に出力される。第２ラッチ回路２１３は、第１ラッチ回路２１２から出力された階調データＤ[1]〜Ｄ[N]を取り込んで保持し、ラッチパルスＬＰで指定されたタイミング（各書込期間Ｈ[m]の始点）にて、階調信号Ｓ[1]〜Ｓ[N]として一斉に出力（線順次出力）する。
【００３７】
書込期間Ｈ[m]にて第ｎ列の信号線１２に供給される階調信号Ｓ[n]は、第ｍ行第ｎ列の画素回路ＰIXにおける液晶素子４０について階調（黒階調／白階調）を指定する電圧信号である。階調信号Ｓ[n]の電位は、正極性の場合の白階調を指定する電位（第1電位ＶdataＨ）、負極性の場合の白階調を指定する電位（第２電位ＶdataＬ）、正極性の場合の黒階調を指定する電位（第２電位ＶdataＬ）、負極性の場合の黒階調を指定する電位（具体的には第1電位ＶdataＨ）の何れかに設定される。
【００３８】
図１の容量電位線駆動回路２３は、Ｍ本の容量電位線１３にそれぞれ対応する単位回路Ｒ[1]〜Ｒ[M]を備える。単位回路Ｒ[m]は、走査信号Ｇ[m-1]及びＧ[m+1]と、極性信号ＰＯＬ１と、極性信号ＰＯＬ２とに基づいて、高位側電位ＶcomＨ及び低位側電位ＶcomＬのうち一方を選択し、選択した電位を第ｍ行に対応する容量電位線１３へ供給する。
【００３９】
図６は、単位回路Ｒ[m]のブロック図である。図６に示すように、単位回路Ｒ[m]は、走査信号Ｇ[m-1]及びＧ[m+1]で定まるタイミングで、極性信号ＰＯＬ１と極性信号ＰＯＬ２との一方をサンプリングし、このサンプリングで得られた電位を保持し、保持中の電位の信号を出力するサンプリング回路Ａと、サンプリング回路Ａの出力信号に基づいて、低位側電位ＶcomＬと高位側電位ＶcomＨとの一方を選択する選択回路Ｂとを備える。
【００４０】
サンプリング回路Ａは、第１スイッチＳＷ１、第２スイッチＳＷ２、第３スイッチＳＷ３、第４スイッチＳＷ４、バッファ回路ＢＦ１及びＢＦ２を備え、第１ノードＮ１、第２ノードＮ２及び出力端子を有する。第１スイッチＳＷ１の一方の端子には極性信号ＰＯＬ１が供給され、第３スイッチＳＷ３の一方の端子には極性信号ＰＯＬ２が供給される。第１ノードＮ１には、第１スイッチＳＷ１の他方の端子と、第２スイッチＳＷ２の一方の端子と、第３スイッチＳＷ３の他方の端子と、バッファ回路ＢＦ１の入力端子とが接続されている。第２ノードＮ２には、第４スイッチＳＷ４の一方の端子と、バッファ回路ＢＦ１の出力端子と、バッファ回路ＢＦ２の入力端子とが接続されている。第２スイッチＳＷ２の他方の端子は、第４スイッチＳＷ４の他方の端子と接続されている。バッファ回路ＢＦ２の出力端子は、サンプリング回路Ａの出力端子と接続されている。
【００４１】
単位回路Ｒ[m]のサンプリング回路Ａでは、第１スイッチＳＷ１と第２スイッチＳＷ２との制御端子には走査信号Ｇ[m-1]が供給され、第３スイッチＳＷ３と第４スイッチＳＷ４との制御端子には走査信号Ｇ[m+1]が供給される。第１スイッチＳＷ１と第２スイッチＳＷ２とは排他的にオン状態となり、第３スイッチＳＷ３と第４スイッチＳＷ４とは排他的にオン状態となる。具体的には、走査信号Ｇ[m-1]がオン電位Ｖonの場合には、第１スイッチＳＷ１がオン状態となる一方、第２スイッチＳＷ１がオフ状態となり、走査信号Ｇ[m-1]がオフ電位Ｖoffの場合には、第１スイッチＳＷ１がオフ状態となる一方、第２スイッチＳＷ２がオン状態となり、走査信号Ｇ[m+1]がオン電位Ｖonの場合には、第３スイッチＳＷ３がオン状態となる一方、第４スイッチＳＷ４がオフ状態となり、走査信号Ｇ[m+1]がオフ電位Ｖoffの場合には、第３スイッチＳＷ３がオフ状態となる一方、第４スイッチＳＷ４がオン状態となる。
【００４２】
選択回路Ｂは、第５スイッチＳＷ５及び第６スイッチＳＷ６を備え、入力端子及び出力端子を備える。第５スイッチＳＷ５の一方の端子には高位側電位ＶcomＨが供給され、第６スイッチＳＷ６の一方の端子には低位側電位ＶcomＬが供給される。選択回路Ｂの出力端子には、第５スイッチＳＷ５の他方の端子と、第６スイッチＳＷ６の他方の端子とが接続されている。選択回路Ｂの入力端子は、サンプリング回路Ａの出力端子と接続されている。選択回路Ｂから入力された信号の電位がＶＬの場合、第５スイッチＳＷ５はオン状態となり、第６スイッチＳＷ６はオフ状態となる。選択回路Ｂから入力された信号の電位がＶＨの場合、第５スイッチＳＷ５はオフ状態となり、第６スイッチＳＷ６はオン状態となる。
【００４３】
ここで、極性信号ＰＯＬ１の電位がＶＨ（極性信号ＰＯＬ２の電位がＶＬ）であるものとして、単位回路Ｒ[m]の動作を説明する。
第ｍ−１行に対応する走査線１１が選択されると、走査信号Ｇ[m-1]がオン電位Ｖonとなり、走査信号Ｇ[m+1]がオフ電位Ｖoffとなるから、単位回路Ｒ[m]のサンプリング回路Ａでは、図７に示すように、第１スイッチＳＷ１及び第４スイッチＳＷ４がオン状態となり、第２スイッチＳＷ２及び第３スイッチＳＷ３がオフ状態となる。したがって、極性信号ＰＯＬ１が第１スイッチＳＷ１及びノードＮ１を介してバッファ回路ＢＦ１へ供給される。バッファ回路ＢＦ１は供給された信号の電位を保持し、保持している電位を出力する。バッファ回路ＢＦ１から出力された電位は、バッファ回路ＢＦ２を介して単位回路Ｒ[m]の選択回路Ｂに供給される。
ここでは、極性信号ＰＯＬ１の電位がＶＨであるから、単位回路Ｒ[m]においてサンプリング回路Ａから選択回路Ｂに供給される電位はＶＨとなる。したがって、この選択回路Ｂでは、第５スイッチＳＷ５はオフ状態となり、第６スイッチＳＷ６はオン状態となる。よって、この選択回路Ｂの出力端子から低位側電位ＶcomＬが出力される。すなわち、第ｍ行に対応する容量電位線１３には、低位側電位ＶcomＬが容量電位Ｖcom[m]として出力される。
【００４４】
次に第ｍ行に対応する走査線１１が選択されると、走査信号Ｇ[m-1]及びＧ[m+1]がオフ電位Ｖoffとなるから、単位回路Ｒ[m]のサンプリング回路Ａでは、図８に示すように、第２スイッチＳＷ２及び第４スイッチＳＷ４がオン状態となり、第１スイッチＳＷ１及び第３スイッチＳＷ３がオフ状態となる。したがって、バッファ回路ＢＦ１に保持されている電位ＶＨがバッファ回路ＢＦ２を介して単位回路Ｒ[m]の選択回路Ｂに供給される。よって、第ｍ行に対応する容量電位線１３には、低位側電位ＶcomＬがＶcom[m]として出力される。
【００４５】
次に第ｍ＋１行に対応する走査線１１が選択されると、走査信号Ｇ[m-1]がオフ電位Ｖoffとなり、走査信号Ｇ[m+1]がオン電位Ｖonとなるから、単位回路Ｒ[m]のサンプリング回路Ａでは、図９に示すように、第２スイッチＳＷ２及び第３スイッチＳＷ３がオン状態となり、第１スイッチＳＷ１及び第４スイッチＳＷ４がオフ状態となる。したがって、極性信号ＰＯＬ２が第３スイッチＳＷ３及びノードＮ１を介してバッファ回路ＢＦ１へ供給される。バッファ回路ＢＦ１は供給された信号の電位を保持し、保持している電位を出力する。バッファ回路ＢＦ１から出力された電位は、バッファ回路ＢＦ２を介して単位回路Ｒ[m]の選択回路Ｂに供給される。
ここでは、第２極性信号ＰＯＬ１の電位がＶＬであるから、単位回路Ｒ[m]においてサンプリング回路Ａから選択回路Ｂに供給される電位はＶＬとなる。したがって、この選択回路Ｂでは、第５スイッチＳＷ５はオン状態となり、第６スイッチＳＷ６はオフ状態となる。よって、この選択回路Ｂの出力端子から高位側電位ＶcomＨが出力される。すなわち、第ｍ行に対応する容量電位線１３には、高位側電位ＶcomＨが容量電位Ｖcom[m]として出力される。
【００４６】
次に第ｍ＋１行の次の行に対応する走査線１１が選択されると、走査信号Ｇ[m-1]及びＧ[m+1]がオフ電位Ｖoffとなるから、単位回路Ｒ[m]のサンプリング回路Ａでは、図１０に示すように、第２スイッチＳＷ２及び第４スイッチＳＷ４がオン状態となり、第１スイッチＳＷ１及び第３スイッチＳＷ３がオフ状態となる。したがって、バッファ回路ＢＦ１に保持されている電位ＶＬがバッファ回路ＢＦ２を介して単位回路Ｒ[m]の選択回路Ｂに供給される。よって、第ｍ行に対応する容量電位線１３には、高位側電位ＶcomＨが容量電位Ｖcom[m]として出力される。
【００４７】
このように、極性信号ＰＯＬ１の電位がＶＨ（極性信号ＰＯＬ２の電位がＶＬ）の場合、Ｖcom[m]は、書込期間Ｈ[m-1]の開始から書込期間Ｈ[m+1]の開始までの期間では低位側電位ＶcomＬとなり、書込期間Ｈ[m+1]の開始から次回の書込期間Ｈ[m-1]の開始までの期間では高位側電位ＶcomＨとなる。一方、極性信号ＰＯＬ１の電位がＶＬ（極性信号ＰＯＬ２の電位がＶＨ）の場合、Ｖcom[m]は、書込期間Ｈ[m-1]の開始から書込期間Ｈ[m-1]の開始までの期間では高位側電位ＶcomＨとなり、書込期間Ｈ[m+1]の開始から次回の書込期間Ｈ[m-1]の開始までの期間では低位側電位ＶcomＬとなる。よって、単位回路Ｒ[m]の入出力特性は、図１１に示す通りとなる。
【００４８】
以上の説明から理解されるように、単位回路Ｒ[m]は、書込期間Ｈ[m-1]においては、極性信号ＰＯＬ１に基づいて低位側電位ＶcomＬと高位側電位ＶcomＨのうち一方の電位を容量電位Ｖcom[m]として選択し、書込期間Ｈ[m]においては、直前の容量電位Ｖcom[m]を保持し、書込期間Ｈ[m+1]においては、極性信号ＰＯＬ２に基づいて低位側電位ＶcomＬと高位側電位ＶcomＨのうち一方の電位を容量電位Ｖcom[m]として選択する回路である。
【００４９】
図１２は、液晶装置１００の各部の電位の変動を示すタイミングチャートである。この図に示すように、図１の駆動回路２０による各画素回路ＰIXの駆動にはサブフィールド駆動が採用される。具体的には、駆動回路２０は、各画素回路ＰIXについて、その各フレームを互いに異なる長さの４個のサブフィールド（サブフィールド期間）ＳＦで構成し、当該画素回路ＰIXの各フレームにおいて、当該フレームの各サブフィールドＳＦにて後述の３種類の電圧の何れかを液晶素子４０に印加する。
【００５０】
第ｍ行の一つの画素回路ＰIXに注目すると、サブフィールドＳＦ１，ＳＦ２，ＳＦ３，ＳＦ４の各々において、書込期間Ｈ[m]の終了から当該サブフィールドＳＦの終了までの間に、３種類の電圧の何れかを液晶素子４０に印加する。３種類の電圧は、液晶素子４０の階調を、後述の正極性のサブフィールドＳＦにおいて白階調とするための正電圧（５Ｖ）と、後述の負極性のサブフィールドＳＦにおいて白階調とするための負電圧（−５Ｖ）と、黒階調とするための零電圧（０Ｖ）である。
【００５１】
また、駆動回路２０は、極性信号ＰＯＬ１及びＰＯＬ２に基づいて、第ｍ行の画素回路ＰIXの各々について、当該画素回路ＰIXの各サブフィールドＳＦにおいて、書込期間Ｈ[m]が終了すると、容量電位線１３の電位の極性を反転させることにより、液晶素子４０の画素電極４１の電位を上下させる。以降、この反転によって画素電極４１の電位が上がるサブフィールドＳＦを「正極性のサブフィールドＳＦ」と呼び、この反転によって画素電極４１の電位が下がるサブフィールドＳＦを「負極性のサブフィールドＳＦ」と呼ぶ。
【００５２】
正極性のサブフィールドＳＦを「＋」、負極性のサブフィールドＳＦを「−」、フレームの境界を「｜」で表すとき、液晶装置１００では、サブフィールドＳＦ１〜ＳＦ４は、…−＋｜＋−＋−｜−＋−＋｜＋−…という並びとなる。つまり、液晶素子４０の印加電圧の極性（正極性／負極性）は、原則としてサブフィールドＳＦ毎に反転するが、フレームの境界では反転しない。
【００５３】
また、フレーム内の各サブフィールドＳＦの時間長は２進加重の関係（ＳＦ１：ＳＦ２：ＳＦ３：ＳＦ４＝１：２：４：８）に設定される。すなわち、各サブフィールドＳＦは重み付けされている。また、各液晶素子４０は、各フレームにおいて、第０階調（最も暗い黒）から第１５階調（最も明るい白）までの計１６階調のうち何れか一つを表示可能である。これら１６階調の各々と液晶素子４０への電圧印加パターンとの関係は、図１３に示す通りである。図１３には、第０階調から第１５階調までの計１６階調の各々について、当該階調を連続して同一の液晶素子４０に表示させる場合の、第ｋフレームにおける電圧印加パターンと、第ｋ＋１フレームにおける電圧印加パターンとが示されている。
【００５４】
書込期間Ｈ[m]では、図３に示すように第ｍ行の各画素回路ＰIXの選択スイッチＴSLがオン状態となり、図４に示すように他の行の各画素回路ＰIXの選択スイッチＴSLがオフ状態となる。一方、Ｎ本の信号線１２には、書込期間Ｈ[m]において、第ｍ行のＮ個の画素回路ＰIXの液晶素子４０の階調（白階調／黒階調）をそれぞれ指定する階調信号Ｓ[1]〜Ｓ[N]が供給される。したがって、書込期間Ｈ[m]では、第ｍ行第ｎ列の画素回路ＰIXの画素電極４１に階調信号Ｓ[n]の電位Ｖdataが書き込まれる。
【００５５】
前述のように、第ｎ列の信号線１２に供給される階調信号Ｓ[n]の電位Ｖdataは、第１電位ＶdataＨ又は第２電位ＶdataＬである。第１電位ＶdataＨは、正極性のサブフィールドＳＦでは白階調を指定し、負極性のサブフィールドＳＦでは黒階調を指定する電位である。第２電位ＶdataＬは、負極性のサブフィールドＳＦにおいては白階調を指定し、正極性のサブフィールドＳＦにおいては黒階調を指定する電位である。
【００５６】
極性信号ＰＯＬ１及びＰＯＬ２の電位の極性は、原則として、書込期間Ｈ[0]の開始時にそれぞれ反転する。例えば、極性信号ＰＯＬ１の電位は、第ｋフレームのサブフィールドＳＦ２における書込期間Ｈ[0]の開始時に、ＶＨからＶＬに遷移し、第ｋフレームのサブフィールドＳＦ３における書込期間Ｈ[0]の開始時に、ＶＬからＶＨに遷移する。ただし、各フレームの最初のサブフィールドＳＦでは、上記の反転は行われない。例えば、極性信号ＰＯＬ１は、第ｋ＋１フレームのサブフィールドＳＦ１における書込期間Ｈ[0]の開始時にはＶＬを維持する。
【００５７】
以降、上記の波形の極性信号ＰＯＬ１及びＰＯＬ２に基づく液晶装置１００の動作について、第１行第ｎ列の画素回路ＰIXに注目して説明する。この説明では、直流成分の残留を回避可能であることを分かり易く示すために、第１行第ｎ列の画素回路ＰIXには、同一階調（具体的には第７階調）を表示させるための階調信号Ｓ[n]が供給され続けるものとする。図１３から明らかなように、第７階調を表示させるための階調信号Ｓ[n]の電位Ｖdataは、サブフィールドＳＦ１、ＳＦ３及びＳＦ４では第１電位ＶdataＨ（２．５Ｖ）となり、サブフィールドＳＦ２では第２電位ＶdataＬ（−２．５Ｖ）となる。
【００５８】
（１）第ｋフレーム
（１−１）サブフィールドＳＦ１
（１−１−１）書込期間Ｈ[1]
第ｋフレームはサブフィールドＳＦ１から始まり、このサブフィールドＳＦ１は書込期間Ｈ[1]から始まる。この書込期間Ｈ[1]では、画素電極４１に階調信号Ｓ[n]の電位Ｖdataが書き込まれる。この階調信号Ｓ[n]の電位ＶdataはＶdataＨであるから、この書込期間Ｈ[1]では、画素電極４１の電位ＶpがＶdataＨ（２．５Ｖ）に維持される。
【００５９】
また、この書込期間Ｈ[1]では、走査信号Ｇ[0]及びＧ[2]の電位がオフ電位Ｖoffであるから、単位回路Ｒ[1]では、図１０に示すように、第２スイッチＳＷ２及び第４スイッチＳＷ４がオン状態を維持し、第１スイッチＳＷ１及び第３スイッチＳＷ３がオフ状態を維持する。したがって、単位回路Ｒ[1]では、サンプリング回路Ａから選択回路Ｂに、バッファ回路ＢＦ１に保持されている電位が供給される。詳しくは後述するが、このとき、バッファ回路ＢＦ１にはＶＨが保持されている。したがって、この選択回路Ｂでは、図８に示すように、第５スイッチＳＷ５がオフ状態を維持し、第６スイッチＳＷ６がオン状態を維持する。よって、容量電位Ｖcom[1]は、低位側電位ＶcomＬ（−１．２５Ｖ）に維持される。
【００６０】
（１−１−２）書込期間Ｈ[2]
続く書込期間Ｈ[2]では、図４に示すように、選択スイッチＴSLがオフ状態を維持する。また、この書込期間Ｈ[2]では、走査信号Ｇ[0]の電位がオフ電位Ｖoffであり、走査信号Ｇ[2]の電位がオン電位Ｖonであるから、単位回路Ｒ[1]では、図９に示すように、第２スイッチＳＷ２及び第３スイッチＳＷ３がオン状態を維持し、第１スイッチＳＷ１及び第４スイッチＳＷ４がオフ状態を維持する。したがって、単位回路Ｒ[1]では、極性信号ＰＯＬ２の電位ＶＬがバッファ回路ＢＦ１に保持され、このＶＬがサンプリング回路Ａから選択回路Ｂに供給される。この選択回路Ｂでは、図９に示すように、第５スイッチＳＷ５がオン状態を維持し、第６スイッチＳＷ６がオフ状態を維持するから、容量電位Ｖcom[1]は、高位側電位ＶcomＨ（１．２５Ｖ）に維持される。
【００６１】
このように、この書込期間Ｈ[2]の開始時には、容量電位Ｖcom[1]が低位側電位ＶcomＬから高位側電位ＶcomＨへ遷移する。これにより、図４に示すように、画素電極４１の電位Ｖpが、ＶdataＨからＶdataＨ＋（ＶcomＨ−ＶcomＬ）へ遷移する。具体的には、図１２に示すように、２．５Ｖから、２．５Ｖ＋（１．２５Ｖ＋１．２５Ｖ）＝５Ｖへ遷移する。したがって、この書込期間Ｈ[2]では、画素電極４１の電位Ｖpが５Ｖに維持される。
【００６２】
（１−１−３）書込期間Ｈ[3]の開始時から書込期間Ｈ[0]の開始時までの期間
続く書込期間Ｈ[3]の開始時から書込期間Ｈ[0]の開始時までの期間では、図４に示すように、選択スイッチＴSLがオフ状態を維持する。また、この期間では、走査信号Ｇ[0]及びＧ[2]の電位がオフ電位Ｖoffであるから、単位回路Ｒ[1]では、図１０に示すように、第２スイッチＳＷ２及び第４スイッチＳＷ４がオン状態を維持し、第１スイッチＳＷ１及び第３スイッチＳＷ３がオフ状態を維持する。したがって、単位回路Ｒ[1]では、サンプリング回路Ａから選択回路Ｂに、バッファ回路ＢＦ１に保持されている電位ＶＬが供給される。この選択回路Ｂでは、図１０に示すように、第５スイッチＳＷ５がオン状態を維持し、第６スイッチＳＷ６がオフ状態を維持するから、容量電位Ｖcom[1]は、高位側電位ＶcomＨ（１．２５Ｖ）に維持される。したがって、この期間では、画素電極４１の電位Ｖpが５Ｖに維持される。
【００６３】
（１−１−４）書込期間Ｈ[0]
続く書込期間Ｈ[0]では、図４に示すように、選択スイッチＴSLがオフ状態を維持する。また、この書込期間Ｈ[0]の開始時には、極性信号ＰＯＬ１の電位がＶＨからＶＬへ遷移する。また、この期間では、走査信号Ｇ[0]の電位がオン電位Ｖonであり、走査信号Ｇ[2]の電位がオフ電位Ｖoffであるから、単位回路Ｒ[1]では、図７に示すように、第１スイッチＳＷ１及び第４スイッチＳＷ４がオン状態を維持し、第２スイッチＳＷ２及び第３スイッチＳＷ３がオフ状態を維持する。したがって、単位回路Ｒ[1]では、極性信号ＰＯＬ１の電位ＶＬがバッファ回路ＢＦ１に保持され、このＶＬがサンプリング回路Ａから選択回路Ｂに供給される。この選択回路Ｂでは、図９に示すように、第５スイッチＳＷ５がオン状態を維持し、第６スイッチＳＷ６がオフ状態を維持するから、容量電位Ｖcom[1]は、高位側電位ＶcomＨ（１．２５Ｖ）に維持される。したがって、この書込期間Ｈ[0]では、画素電極４１の電位Ｖpが５Ｖに維持される。
【００６４】
（１−２）サブフィールドＳＦ２
（１−２−１）書込期間Ｈ[1]
続くサブフィールドＳＦ２も書込期間Ｈ[1]から始まる。この書込期間Ｈ[1]では、画素電極４１に階調信号Ｓ[n]の電位Ｖdataが書き込まれる。この階調信号Ｓ[n]の電位ＶdataはＶdataＬであるから、この書込期間Ｈ[1]では、画素電極４１の電位ＶpがＶdataＬ（−２．５Ｖ）に維持される。
【００６５】
また、この書込期間Ｈ[1]では、走査信号Ｇ[0]及びＧ[2]の電位がオフ電位Ｖoffであるから、単位回路Ｒ[1]では、図１０に示すように、サンプリング回路Ａから選択回路Ｂに、バッファ回路ＢＦ１に保持されている電位ＶＬが供給され、この選択回路Ｂでは、第５スイッチＳＷ５がオン状態を維持し、第６スイッチＳＷ６がオフ状態を維持する。よって、容量電位Ｖcom[1]は、高位側電位ＶcomＨ（１．２５Ｖ）に維持される。
（１−２−２）書込期間Ｈ[2]
続く書込期間Ｈ[2]では、図４に示すように、選択スイッチＴSLがオフ状態を維持する。また、この書込期間Ｈ[2]では、走査信号Ｇ[0]の電位がオフ電位Ｖoffであり、走査信号Ｇ[2]の電位がオン電位Ｖonであるから、単位回路Ｒ[1]では、図９に示すように、第２スイッチＳＷ２及び第３スイッチＳＷ３がオン状態を維持し、第１スイッチＳＷ１及び第４スイッチＳＷ４がオフ状態を維持する。したがって、単位回路Ｒ[1]では、極性信号ＰＯＬ２の電位ＶＨがバッファ回路ＢＦ１に保持され、このＶＨがサンプリング回路Ａから選択回路Ｂに供給される。この選択回路Ｂでは、図８に示すように、第５スイッチＳＷ５がオフ状態を維持し、第６スイッチＳＷ６がオン状態を維持するから、容量電位Ｖcom[1]は、低位側電位ＶcomＬ（−１．２５Ｖ）に維持される。
【００６６】
このように、この書込期間Ｈ[2]の開始時には、容量電位Ｖcom[1]が高位側電位ＶcomＨから低位側電位ＶcomＬへ遷移する。これにより、図４に示すように、画素電極４１の電位Ｖpが、ＶdataＬからＶdataＬ−（ＶcomＨ−ＶcomＬ）へ遷移する。具体的には、図１２に示すように、−２．５Ｖから、−２．５Ｖ−（１．２５Ｖ＋１．２５Ｖ）＝−５Ｖへ遷移する。したがって、この書込期間Ｈ[2]では、画素電極４１の電位Ｖpが−５Ｖに維持される。
【００６７】
（１−２−３）書込期間Ｈ[3]の開始時から書込期間Ｈ[0]の開始時までの期間
続く書込期間Ｈ[3]の開始時から書込期間Ｈ[0]の開始時までの期間では、第ｋフレームのサブフィールドＳＦ１の書込期間Ｈ[3]の開始時から書込期間Ｈ[0]の開始時までの期間と同様の動作が行われる。ただし、単位回路Ｒ[1]のバッファ回路ＢＦ１に保持されている電位はＶＨであるから、容量電位Ｖcom[1]は、低位側電位ＶcomＬ（−１．２５Ｖ）に維持される。したがって、この期間では、画素電極４１の電位Ｖpが−５Ｖに維持される。
【００６８】
（１−２−４）書込期間Ｈ[0]
続く書込期間Ｈ[0]では、第ｋフレームのサブフィールドＳＦ１の書込期間Ｈ[0]と同様の動作が行われる。ただし、この書込期間Ｈ[0]の開始時には、極性信号ＰＯＬ１の電位がＶＬからＶＨへ遷移する。したがって、単位回路Ｒ[1]のバッファ回路ＢＦ１にはＶＨが保持され、容量電位Ｖcom[1]は、低位側電位ＶcomＬ（−１．２５Ｖ）に維持される。したがって、この期間では、画素電極４１の電位Ｖpが−５Ｖに維持される。
（１−３）サブフィールドＳＦ３
続くサブフィールドＳＦ３では、第ｋフレームのサブフィールドＳＦ１と同様の動作が行われる。すなわち、画素電極４１の電位Ｖpは、書込期間Ｈ[1]ではＶdataＨ（２．５Ｖ）、書込期間Ｈ[2]の開始時から書込期間Ｈ[0]の終了時までの期間ではＶdataＨ＋（ＶcomＨ−ＶcomＬ）＝５Ｖに維持され、容量電位Ｖcom[1]は、書込期間Ｈ[1]では低位側電位ＶcomＬ（−１．２５Ｖ）、書込期間Ｈ[2]の開始時から書込期間Ｈ[0]の終了時までの期間では高位側電位ＶcomＨ（１．２５Ｖ）に維持される。
（１−４）サブフィールドＳＦ４
（１−４−１）書込期間Ｈ[1]の開始時から書込期間Ｈ[0]の開始時までの期間
続くサブフィールドＳＦ４も書込期間Ｈ[1]から始まる。この書込期間Ｈ[1]の開始時から書込期間Ｈ[0]の開始時までの期間では、第ｋフレームのサブフィールドＳＦ２の書込期間Ｈ[1]の開始時から書込期間Ｈ[0]の開始時までの期間と同様の動作が行われる。ただし、第ｋフレームのサブフィールドＳＦ４の書込期間Ｈ[1]における階調信号Ｓ[n]の電位ＶdataはＶdataＨであるから、画素電極４１の電位Ｖpは、このサブフィールドＳＦ４において、書込期間Ｈ[1]ではＶdataＨ（２．５Ｖ）に維持され、書込期間Ｈ[2]の開始時から書込期間Ｈ[0]の開始時までの期間ではＶdataＨ−（ＶcomＨ−ＶcomＬ）＝０Ｖに維持される。一方、容量電位Ｖcom[1]は、このサブフィールドＳＦ４において、書込期間Ｈ[1]では高位側電位ＶcomＨを維持し、書込期間Ｈ[2]の開始時から書込期間Ｈ[0]の開始時までの期間では低位側電位ＶcomＬを維持する。
【００６９】
（１−４−２）書込期間Ｈ[0]
続く書込期間Ｈ[0]では、第ｋフレームのサブフィールドＳＦ２の書込期間Ｈ[0]と同様の動作が行われる。ただし、第ｋフレームのサブフィールドＳＦ２の書込期間Ｈ[0]の開始時には、極性信号ＰＯＬ１の電位がＶＬからＶＨへ遷移するのに対して、第ｋフレームのサブフィールドＳＦ４の書込期間Ｈ[0]の開始時には、そのような遷移は行われない。つまり、極性信号ＰＯＬ１の電位は、第ｋフレームのサブフィールドＳＦ４を通じてＶＬを維持する。このため、このサブフィールドＳＦ４の書込期間Ｈ[0]では、単位回路Ｒ[1]のバッファ回路ＢＦ１にＶＬが保持され、容量電位Ｖcom[1]は高位側電位ＶcomＨを維持する。すなわち、この書込期間Ｈ[0]の開始時には、容量電位Ｖcom[1]が低位側電位ＶcomＬから高位側電位ＶcomＨへ遷移する。
【００７０】
（２）第ｋ＋１フレーム
続く第ｋ＋１フレームでは、第ｋフレームと同様の動作が行われる。ただし、極性信号ＰＯＬ１及び第１極性信号ＰＯＬ２の電位の極性は、各フレームに３回ずつ反転するから、第ｋフレームと第ｋ＋１フレームとの間では、対応するサブフィールドＳＦの極性が反転している。例えば、第ｋフレームのサブフィールドＳＦが正極性であるのに対して、第ｋ＋１フレームのサブフィールドＳＦは負極性である。このため、第ｋ＋１フレームにおける容量電位Ｖcom[1]及び画素電極４１の電位Ｖpは、第ｋフレームにおける容量電位Ｖcom[1]及び画素電極４１の電位Ｖpの極性をそれぞれ反転させた電位となる。したがって、第ｋ＋１フレームのサブフィールドＳＦ４の書込期間Ｈ[0]では、単位回路Ｒ[1]のバッファ回路ＢＦ１にＶＨが保持される。これが、第ｋフレームのサブフィールドＳＦ１の書込期間Ｈ[1]において単位回路Ｒ[1]のバッファ回路ＢＦ１にＶＨが保持されている理由である。
【００７１】
以上の説明では第１行第ｎ列の画素回路ＰIXに注目したが、第ｍ行第ｎ列の画素回路ＰIXについても上述と同様の動作が行われる。もちろん、第ｍ行第ｎ列の画素回路ＰIXの画素電極４１の電位Ｖpは、走査信号Ｇ[m-1]及び走査信号Ｇ[m+1]に基づいて単位回路Ｒ[m]が生成した容量電位Ｖcom[m]に応じて変動することになる。また、第ｍ行第ｎ列の画素回路ＰIXの各フレームは書込期間Ｈ[m]から開始する。
【００７２】
このように、液晶装置１００の容量電位線駆動回路２３は、低位側電位ＶcomＬと高位側電位ＶcomＨのうち一方の電位を容量電位Ｖcom[m]として第ｍ行に対応する容量電位線１３に供給する処理であって、フレームを構成する各サブフィールドＳＦでは、第ｍ行の書込期間Ｈ[m]が終了すると容量電位Ｖcom[m]の極性を反転し、フレームを構成する最後のサブフィールドＳＦ４では、容量電位Ｖcom[m]の極性が反転した後の書込期間Ｈ[m-1]の開始時に容量電位Ｖcom[m]の極性を再度反転する第１処理を行う。したがって、液晶装置１００には、図１３に示す利点がある。
【００７３】
図１３には、第０階調から第１５階調までの計１６階調の各々について、第ｋフレームの開始時から第ｋ＋１フレームの終了時までに当該液晶素子４０に印加される正電圧の時間積分値（絶対値）と負電圧の時間積分値（絶対値）との比較式とが示されている。図１３に示されるように、液晶装置１００では、同一階調を連続して同一の液晶素子４０に表示させる場合、隣り合う二つのフレーム間で、長さが等しい対応するサブフィールドＳＦにおける印加電圧の極性が逆になるから、これらのフレームにおいて、正電圧の時間積分値（絶対値）と、これらのフレームにわたる負電圧の時間積分値（絶対値）とが等しくなり、直流成分が打ち消される。つまり、液晶装置１００によれば、直流成分の残留が回避される。
【００７４】
ところで、液晶装置１００であっても、一つのフレームに注目すれば、直流成分が残留する。ただし、液晶装置１００では、書込期間が終了すると行われる容量電位の極性の反転の方向が、原則としてサブフィールド毎に反転するから、一つのフレームに注目した場合でも、残留する直流成分の最大値（絶対値）を小さく抑制することができる。これは、各液晶素子４０の劣化の抑制に寄与する利点である。
【００７５】
図１４は、液晶装置１００の他の利点を示す概念図である。この図には、液晶装置１００の総ての画素電極４１の電位Ｖpの極性の変遷が書込期間毎に示されている。ただし、図１４では、図面の繁雑化を避けるために、液晶装置１００が備える画素電極４１の数を、４行×４列＝１６個としてある。液晶装置１００では、原則として、液晶素子４０の印加電圧の極性がサブフィールドＳＦ毎に反転される。したがって、各サブフィールドＳＦでは、原則として、隣り合う行間で画素電極４１の電位が大きく異なる箇所（図１４の太線）が表示領域を走査することになる。
【００７６】
この箇所では、予期しない強い電界が列方向（図１のＹ方向）に発生する虞がある。つまり、この箇所が表示領域を走査することによって、コントラスト低下等の表示品位の低下が生じる虞がある。したがって、この箇所による表示領域の走査回数は少ない方がよい。液晶素子４０の印加電圧の極性がサブフィールドＳＦ毎に必ず反転する場合、上記の箇所による走査は１フレームあたり４回となるが、液晶装置１００では、各フレームの最後のサブフィールドＳＦでは上記の反転が行われないから、図１４に示すように、上記の箇所による走査は１フレームあたり３回となる。つまり、本実施形態によれば、画像の表示品位が向上する。
【００７７】
＜２：第２実施形態＞
図１５は、本発明の第２実施形態に係る液晶装置２００の構成を示すブロック図である。液晶装置２００は、画像を表示する表示体として様々な電子機器に採用される液晶装置であり、図１の液晶装置１００と同様の構成を有する。ただし、液晶装置２００では、駆動回路２０による交流駆動において、各液晶素子４０の印加電圧の極性（正極性／負極性）が、サブフィールド単位ではなく、フレーム単位で反転する。このため、液晶装置２００は、制御回路３０に代えて制御回路５０を備える。
【００７８】
制御回路５０が制御回路３０と異なる点は、極性信号生成回路３１に代えて極性信号生成回路５１を備える点のみである。極性信号生成回路５１は、極性信号生成回路３１と同様に、液晶素子４０の印加電圧の極性を指定する極性信号ＰＯＬ１及びＰＯＬ２を生成し、容量電位線駆動回路２３に供給する。ただし、極性信号生成回路５１が生成する極性信号ＰＯＬ１及びＰＯＬ２と、極性信号生成回路３１が生成する極性信号ＰＯＬ１及びＰＯＬ２とでは、電位の極性が反転するタイミングが異なる。
【００７９】
図１６は、液晶装置２００の各部の電位の変動を示すタイミングチャートである。この図に示すように、駆動回路２０は、液晶素子４０の印加電圧の極性（正極性／負極性）をフレーム毎に反転する。つまり、サブフィールドＳＦ１〜ＳＦ４は、…−−｜＋＋＋＋｜−−−−｜＋＋…という並びになっている。このような並びとするために、極性信号ＰＯＬ１及びＰＯＬ２の電位の極性は、各フレームの最初の書込期間Ｈ[0]の開始時にそれぞれ反転する。例えば、極性信号ＰＯＬ１の電位は、第ｋフレームの最初の書込期間Ｈ[0]の開始時に、ＶＬからＶＨに遷移し、第ｋ＋１フレームの最初の書込期間Ｈ[0]の開始時に、ＶＨからＶＬに遷移する。
【００８０】
以降、上記の波形の極性信号ＰＯＬ１及びＰＯＬ２に基づく液晶装置２００の動作について、第１行第ｎ列の画素回路ＰIXに注目して説明する。この説明では、第１実施形態と同様に、第１行第ｎ列の画素回路ＰIXには、第７階調を表示させるための階調信号Ｓ[n]が供給され続けるものとする。なお、第１行第ｎ列の画素回路ＰIXの画素電極４１に電位が書き込まれるタイミングや書き込まれる電位については、液晶装置１００と同様であるから、簡略化した説明に留める。
【００８１】
（１）第ｋフレーム
（１−１）サブフィールドＳＦ１
（１−１−１）書込期間Ｈ[1]
第ｋフレームはサブフィールドＳＦ１から始まり、このサブフィールドＳＦ１は書込期間Ｈ[1]から始まる。この書込期間Ｈ[1]では、画素電極４１の電位ＶpがＶdataＨ（２．５Ｖ）に維持される。一方、この書込期間Ｈ[1]では、走査信号Ｇ[0]及びＧ[2]の電位がオフ電位Ｖoffであるから、図１０に示すように、単位回路Ｒ[1]では、サンプリング回路Ａから選択回路Ｂに、バッファ回路ＢＦ１に保持されている電位が供給される。詳しくは後述するが、このとき、バッファ回路ＢＦ１にはＶＨが保持されている。したがって、この選択回路Ｂでは、図８に示すように、第５スイッチＳＷ５がオフ状態を維持し、第６スイッチＳＷ６がオン状態を維持する。よって、容量電位Ｖcom[1]は低位側電位ＶcomＬ（−１．２５Ｖ）に維持される。
【００８２】
（１−１−２）書込期間Ｈ[2]
続く書込期間Ｈ[2]では、図４に示すように、選択スイッチＴSLがオフ状態を維持する。また、この書込期間Ｈ[2]では、走査信号Ｇ[0]の電位がオフ電位Ｖoffであり、走査信号Ｇ[2]の電位がオン電位Ｖonであるから、単位回路Ｒ[1]では、図９に示すように、第２スイッチＳＷ２及び第３スイッチＳＷ３がオン状態を維持し、第１スイッチＳＷ１及び第４スイッチＳＷ４がオフ状態を維持する。したがって、単位回路Ｒ[1]では、極性信号ＰＯＬ２の電位ＶＬがバッファ回路ＢＦ１に保持され、このＶＬがサンプリング回路Ａから選択回路Ｂに供給される。この選択回路Ｂでは、図９に示すように、第５スイッチＳＷ５がオン状態を維持し、第６スイッチＳＷ６がオフ状態を維持するから、容量電位Ｖcom[1]は、高位側電位ＶcomＨ（１．２５Ｖ）に維持される。
【００８３】
このように、この書込期間Ｈ[2]の開始時には、容量電位Ｖcom[1]が低位側電位ＶcomＬから高位側電位ＶcomＨへ遷移する。これにより、図４に示すように、画素電極４１の電位ＶpがＶdataＨからＶdataＨ＋（ＶcomＨ−ＶcomＬ）へ遷移する。具体的には、図１６に示すように、２．５Ｖから、２．５Ｖ＋（１．２５Ｖ＋１．２５Ｖ）＝５Ｖへ遷移する。したがって、この書込期間Ｈ[2]では、画素電極４１の電位Ｖpが５Ｖに維持される。
【００８４】
（１−１−３）書込期間Ｈ[3]の開始時から書込期間Ｈ[0]の開始時までの期間
続く書込期間Ｈ[3]の開始時から書込期間Ｈ[0]の開始時までの期間では、図４に示すように、選択スイッチＴSLがオフ状態を維持する。また、この期間では、走査信号Ｇ[0]及びＧ[2]の電位がオフ電位Ｖoffであるから、単位回路Ｒ[1]では、図１０に示すように、第２スイッチＳＷ２及び第４スイッチＳＷ４がオン状態を維持し、第１スイッチＳＷ１及び第３スイッチＳＷ３がオフ状態を維持する。したがって、単位回路Ｒ[1]では、サンプリング回路Ａから選択回路Ｂに、バッファ回路ＢＦ１に保持されている電位ＶＬが供給される。この選択回路Ｂでは、図１０に示すように、第５スイッチＳＷ５がオン状態を維持し、第６スイッチＳＷ６がオフ状態を維持するから、容量電位Ｖcom[1]は、高位側電位ＶcomＨ（１．２５Ｖ）に維持される。したがって、この期間では、画素電極４１の電位Ｖpが５Ｖに維持される。
【００８５】
（１−１−４）書込期間Ｈ[0]
続く書込期間Ｈ[0]では、図４に示すように、選択スイッチＴSLがオフ状態を維持する。また、この期間では、走査信号Ｇ[0]の電位がオン電位Ｖonであり、走査信号Ｇ[2]の電位がオフ電位Ｖoffであるから、単位回路Ｒ[1]では、図７に示すように、第１スイッチＳＷ１及び第４スイッチＳＷ４がオン状態を維持し、第２スイッチＳＷ２及び第３スイッチＳＷ３がオフ状態を維持する。したがって、単位回路Ｒ[1]では、極性信号ＰＯＬ１の電位ＶＨがバッファ回路ＢＦ１に保持され、このＶＨがサンプリング回路Ａから選択回路Ｂに供給される。この選択回路Ｂでは、図８に示すように、第５スイッチＳＷ５がオフ状態を維持し、第６スイッチＳＷ６がオン状態を維持する。よって、容量電位Ｖcom[1]は低位側電位ＶcomＬ（−１．２５Ｖ）に維持される。
【００８６】
このように、この書込期間Ｈ[0]の開始時には、容量電位Ｖcom[1]が高位側電位ＶcomＨから低位側電位ＶcomＬへ遷移する。これにより、図４に示すように、画素電極４１の電位Ｖpが、ＶdataＨからＶdataＨ−（ＶcomＨ−ＶcomＬ）へ遷移する。具体的には、図１６に示すように、５Ｖから、５Ｖ−（１．２５Ｖ＋１．２５Ｖ）＝２．５Ｖへ遷移する。したがって、この書込期間Ｈ[0]では、画素電極４１の電位Ｖpが２．５Ｖに維持される。
【００８７】
（１−２）サブフィールドＳＦ２及びＳＦ３
続くサブフィールドＳＦ２及びＳＦ３では、極性信号ＰＯＬ１（極性信号ＰＯＬ２）が電位ＶＨ（ＶＬ）を維持する。また、画素電極４１に書き込まれる階調信号Ｓ[n]の電位は、これらのサブフィールドＳＦ２及びＳＦ３の何れにおいてもＶdataＨ（２．５Ｖ）である。したがって、図１６に示すように、これらのサブフィールドＳＦ２及びＳＦ３の各々における、画素電極４１の電位Ｖpの変動は、第ｋフレームのサブフィールドＳＦ１における当該電位Ｖpの変動と同様となる。
【００８８】
（１−３）サブフィールドＳＦ４
（１−３−１）書込期間Ｈ[1]
続くサブフィールドＳＦ４も書込期間Ｈ[1]から始まる。この書込期間Ｈ[1]では、画素電極４１の電位ＶpがＶdataＬ（−２．５Ｖ）に維持される。一方、この書込期間Ｈ[1]では、走査信号Ｇ[0]及びＧ[2]の電位がオフ電位Ｖoffであるから、図１０に示すように、単位回路Ｒ[1]では、サンプリング回路Ａから選択回路Ｂに、バッファ回路ＢＦ１に保持されている電位が供給される。このとき、バッファ回路ＢＦ１にはＶＨが保持されている。したがって、この選択回路Ｂでは、図８に示すように、第５スイッチＳＷ５がオフ状態を維持し、第６スイッチＳＷ６がオン状態を維持する。よって、容量電位Ｖcom[1]は低位側電位ＶcomＬ（−１．２５Ｖ）に維持される。
【００８９】
（１−３−２）書込期間Ｈ[2]
続く書込期間Ｈ[2]では、図４に示すように、画素回路ＰIXの選択スイッチＴSLがオフ状態を維持する。また、容量電位Ｖcom[1]は、この書込期間Ｈ[2]の開始時に低位側電位ＶcomＬから高位側電位ＶcomＨへ遷移し、この書込期間Ｈ[2]において高位側電位ＶcomＨ（１．２５Ｖ）を維持する。したがって、図４に示すように、画素電極４１の電位Ｖpは、ＶdataＨからＶdataＨ＋（ＶcomＨ−ＶcomＬ）＝−２．５Ｖ＋（１．２５Ｖ＋１．２５Ｖ）＝０Ｖへ遷移し、０Ｖに維持される。
【００９０】
（１−３−３）書込期間Ｈ[3]の開始時から書込期間Ｈ[0]の開始時までの期間
続く書込期間Ｈ[3]の開始時から書込期間Ｈ[0]の開始時までの期間では、第ｋフレームのサブフィールドＳＦ１の書込期間Ｈ[3]の開始時から書込期間Ｈ[0]の開始時までの期間と同様の動作が行われる。したがって、容量電位Ｖcom[1]は高位側電位ＶcomＨ（１．２５Ｖ）に維持され、画素電極４１の電位Ｖpは０Ｖに維持される。
【００９１】
（１−３−４）書込期間Ｈ[0]
続く書込期間Ｈ[0]では、第ｋフレームのサブフィールドＳＦ１の書込期間Ｈ[0]と同様の動作が行われる。ただし、第ｋフレームのサブフィールドＳＦ４の書込期間Ｈ[0]の開始時には、極性信号ＰＯＬ１の電位がＶＨからＶＬへ遷移する。したがって、この書込期間Ｈ[0]では、単位回路Ｒ[1]のバッファ回路ＢＦ１にはＶＬが保持され、容量電位Ｖcom[1]は高位側電位ＶcomＨ（１．２５Ｖ）に維持される。画素電極４１の電位Ｖpは０Ｖに維持される。
【００９２】
（２）第ｋ＋１フレーム
続く第ｋ＋１フレームでは、第ｋフレームと同様の動作が行われる。ただし、極性信号ＰＯＬ１及び第１極性信号ＰＯＬ２の電位の極性は、各フレームに１回ずつ反転するから、第ｋフレームの各サブフィールドＳＦが正極性であるのに対し、第ｋ＋１フレームの各サブフィールドＳＦは負極性となる。このため、第ｋ＋１フレームにおける容量電位Ｖcom[1]及び画素電極４１の電位Ｖpは、第ｋ＋１フレームにおける容量電位Ｖcom[1]及び画素電極４１の電位Ｖpの極性をそれぞれ反転させた電位となる。したがって、第ｋ＋１フレームのサブフィールドＳＦ４の書込期間Ｈ[0]では、単位回路Ｒ[1]のバッファ回路ＢＦ１にＶＨが保持される。これが、第ｋフレームのサブフィールドＳＦ１の書込期間Ｈ[1]において単位回路Ｒ[1]のバッファ回路ＢＦ１にＶＨが保持されている理由である。
【００９３】
以上の説明では第１行第ｎ列の画素回路ＰIXに注目したが、第ｍ行第ｎ列の画素回路ＰIXについても上述と同様の動作が行われる。もちろん、第ｍ行第ｎ列の画素回路ＰIXの画素電極４１の電位Ｖpは、走査信号Ｇ[m-1]及び走査信号Ｇ[m+1]に基づいて単位回路Ｒ[m]が生成した容量電位Ｖcom[m]に応じて変動することになる。また、第ｍ行第ｎ列の画素回路ＰIXの各フレームは書込期間Ｈ[m]から開始する。
【００９４】
このように、液晶装置２００の容量電位線駆動回路２３は、低位側電位ＶcomＬと高位側電位ＶcomＨのうち一方の電位を容量電位Ｖcom[m]として第ｍ行に対応する容量電位線１３に供給する処理であって、フレームを構成する各サブフィールドＳＦでは、書込期間Ｈ[m]が終了すると容量電位Ｖcom[m]の極性を反転し、フレームを構成するサブフィールドＳＦのうち最後のサブフィールドＳＦ４を除くサブフィールドＳＦ（ＳＦ１，ＳＦ２，ＳＦ３）では、容量電位Ｖcom[m]の極性を反転した後の書込期間Ｈ[m-1]の開始時に容量電位Ｖcom[m]の極性を再度反転し、上記のサブフィールドＳＦ４では、容量電位Ｖcom[m]の極性を反転してから当該サブフィールドＳＦ４が終了するまでの期間において容量電位Ｖcom[m]の極性を反転しない第２処理を行う。したがって、液晶装置２００では、各液晶素子４０の印加電圧の極性が、サブフィールドＳＦ単位ではなく、フレーム単位で反転する。したがって、液晶装置２００によれば、隣り合う二つのフレームにおいて、正電圧の時間積分値（絶対値）と、これらのフレームにわたる負電圧の時間積分値（絶対値）とが等しくなり、直流成分が打ち消される。よって、液晶装置２００によれば、直流成分の残留を回避することができる。
【００９５】
また、液晶装置２００によれば、各液晶素子４０の印加電圧の極性がフレーム単位で反転するから、画像の表示品位が大幅に向上する。この点について、図１７を参照して説明する。図１７には、液晶装置２００の総ての画素電極４１の電位Ｖpの極性の変遷が示されている。ただし、図１７では、図面の繁雑化を避けるために、液晶装置２００が備える画素電極４１の数を、４行×４列＝１６個としてある。液晶装置２００では、液晶素子４０の印加電圧の極性の反転がフレーム毎であるから、隣り合う行間で画素電極４１の電位が大きく異なる箇所（図１７の太線）が表示領域を走査する回数が、１フレームあたり１回となる。これは１フレームあたり４回よりも大幅に少ないから、液晶装置２００によれば画像の表示品位が大幅に向上するのである。
【００９６】
＜３：第３実施形態＞
図１８は、本発明の第３実施形態に係る液晶装置３００の構成を示すブロック図である。液晶装置３００は、画像を表示する表示体として様々な電子機器に採用される液晶装置であり、液晶装置１００と液晶装置２００とを組み合わせて構成され、容量電位線駆動回路２３が、表示する画像の種類（動画／静止画）に基づいて、液晶装置１００が行う第１処理と液晶装置２００が行う第２処理とのうち一方を選択的に実行する点を特徴としている。
【００９７】
液晶装置３００が、液晶装置１００又は２００と異なる点は、制御回路３０又は５０に代えて制御回路６０を備える点のみである。制御回路６０が制御回路３０又は５０と異なる点は、極性信号生成回路３１又は５１に代えて極性信号生成回路６１を備える点と、画像判別回路６２を新たに備える点のみである。画像判別回路６２には、制御回路６０外の上位装置（例えばコンピュータ）から画像データがフレーム毎に順次供給される。１フレーム分の画像データは、Ｍ行Ｎ列の画素の各々の階調（第０階調〜第１５階調）を示すデータである。
【００９８】
画像判別回路６２は、複数フレーム分の画像データを記憶可能なフレームバッファを備え、このフレームバッファを用いて、隣り合うフレーム間で対応する画素毎に階調を比較し、この比較結果に応じた種類指定信号Ｚを極性信号生成回路６１に供給する。種類指定信号Ｚは、画像の種類を指定する信号であり、隣り合うフレーム間で総ての画素について階調が一致した場合には静止画を、その他の場合には動画を指定する。
【００９９】
極性信号生成回路６１は、供給された種類指定信号Ｚに基づいて、極性信号ＰＯＬ１及びＰＯＬ２を生成し、容量電位線駆動回路２３に供給する。具体的には、極性信号生成回路６１は、動画を指定する種類指定信号Ｚが供給された場合には、図１２に示す波形の極性信号ＰＯＬ１及びＰＯＬ２を生成し、静止画を指定する種類指定信号Ｚが供給された場合には、図１６に示す波形の極性信号ＰＯＬ１及びＰＯＬ２を生成する。なお、極性信号生成回路６１の構成は任意である。例えば、極性信号生成回路３１及び５１を含み、これらの回路のうち、供給された種類指定信号Ｚに応じた回路のみをアクティブとする構成であってもよい。
【０１００】
液晶装置３００によれば、焼きつきが生じ易い静止画を表示する場合には、一時的に残留する直流成分の最大値（絶対値）の抑制に好適な第１処理が行われ、焼きつきが生じ難い動画を表示する場合には、表示品位の向上に好適な第２処理が行われるから、液晶装置２００と同等の表示品位を達成しつつ、液晶装置２００よりも各液晶素子４０の劣化を抑制することができる。
【０１０１】
＜４：第４実施形態＞
図１９は、本発明の第４実施形態に係る液晶装置４００の構成を示すブロック図である。液晶装置４００は、画像を表示する表示体として様々な電子機器に採用される液晶装置であり、図１の液晶装置１００と同様の構成を有する。ただし、液晶装置４００では、Ｍ本の走査線１１の選択方向を、液晶装置１００における選択方向である順方向と、順方向とは逆向きの逆方向との間で切り換えることができる。
【０１０２】
このため、液晶装置４００は、走査線駆動回路２１及び制御回路３０に代えて、選択方向（順方向／逆方向）を指定する選択方向信号ＤＲに基づいて選択方向を切り換える走査線駆動回路７１と、走査線駆動回路７１に選択方向信号ＤＲを供給する制御回路７０とを備える。なお、選択方向信号ＤＲは、制御回路７０内で生成されてもよいし、制御回路７０外の上位装置（例えばコンピュータ）から制御回路７０に供給されてもよい。
【０１０３】
図２０は、走査線駆動回路７１の構成を示すブロック図である。この図に示すように、走査線駆動回路７１は、スイッチＳＷ７及びＳＷ８と、スイッチＳＷ７を介して開始パルスＳＰ１が供給されるＭ＋２段の第１シフトレジスタ７１１と、スイッチＳＷ８を介して開始パルスＳＰ１が供給されるＭ＋２段の第２シフトレジスタ７１２とを備える。第１シフトレジスタ７１１は、供給された開始パルスＳＰ１をクロック信号ＣＬＫ１で指定されるタイミングで順方向の次段に転送する。第２シフトレジスタ７１２は、供給された開始パルスＳＰ１をクロック信号ＣＬＫ１で指定されるタイミングで逆方向の次段に転送する。
【０１０４】
スイッチＳＷ７は、選択方向信号ＤＲが順方向を指定する場合にはオン状態となり、逆方向を示す場合にはオフ状態となる。スイッチＳＷ８は、選択方向信号ＤＲが順方向を指定する場合にはオフ状態となり、逆方向を示す場合にはオン状態となる。したがって、開始パルスＳＰ１は、選択方向信号ＤＲが順方向を指定する場合には第１シフトレジスタ７１１においてシフトされ、選択方向信号ＤＲが逆方向を指定する場合には第２シフトレジスタ７１２においてシフトされる。そして、開始パルスＳＰ１をシフトするシフトレジスタの各段の電位が、走査信号Ｇ[0]〜Ｇ[M+1]の電位となる。
【０１０５】
よって、液晶装置４００では、Ｍ本の走査線１１の選択方向は、選択方向信号ＤＲが順方向を指定する場合には順方向となり、選択方向信号ＤＲが逆方向を指定する場合には逆方向となる。一方、制御回路７０が制御回路３０と異なる点としては、走査線駆動回路７１に選択方向信号ＤＲをも供給する点の他に、Ｍ本の走査線１１の選択方向が逆方向の場合には画像信号ＤＡＴＡにおける階調データの並びを列毎に降順とする点と、極性信号供給回路７２を新たに備える点がある。
【０１０６】
極性信号供給回路７２は、Ｍ本の走査線１１の選択方向に同期して極性信号ＰＯＬ１と極性信号ＰＯＬ２とを入れ替えるものであり、極性信号生成回路３１で生成された極性信号ＰＯＬ１及びＰＯＬ２は、極性信号供給回路７２を介して容量電位線駆動回路２３に供給される。
【０１０７】
図２１は、極性信号供給回路７２の構成を示す回路図である。この図に示すように、極性信号供給回路７２は、スイッチＳＷ９〜ＳＷ１２を備え、ノードＮ３〜Ｎ６を有する。ノードＮ３とノードＮ５とはスイッチＳＷ９を介して接続され、ノードＮ４とノードＮ６とはスイッチＳＷ１１を介して接続される。また、ノードＮ３は、スイッチＳＷ１２を介してノードＮ６と接続され、ノードＮ４とノードＮ５とは、スイッチＳＷ１０を介して接続される。
【０１０８】
ノードＮ３には極性信号生成回路３１から極性信号ＰＯＬ１が供給され、ノードＮ４には極性信号生成回路３１から極性信号ＰＯＬ２が供給される。また、極性信号供給回路７２は、ノードＮ５に供給される信号を極性信号ＰＯＬ１として容量電位線駆動回路２３に供給し、ノードＮ６に供給される信号を極性信号ＰＯＬ２として容量電位線駆動回路２３に供給する。
【０１０９】
また、極性信号供給回路７２には、極性信号生成回路３１が供給される。スイッチＳＷ９及びＳＷ１１は、供給された選択方向信号ＤＲが順方向を示す場合にはオン状態となり、逆方向を示す場合にはオフ状態となる。一方、スイッチＳＷ１０及びＳＷ１２は、供給された選択方向信号ＤＲが順方向を示す場合にはオフ状態となり、逆方向を示す場合にはオン状態となる。
【０１１０】
つまり、順方向を示す選択方向信号ＤＲが供給されると、スイッチＳＷ９〜ＳＷ１２のうち、スイッチＳＷ９及びＳＷ１１のみがオン状態となり、ノードＮ３とノードＮ５とが導通するとともにノードＮ４とノードＮ６とが導通するから、極性信号供給回路７２は、極性信号生成回路３１から供給された極性信号ＰＯＬ１を極性信号ＰＯＬ１として容量電位線駆動回路２３に供給し、極性信号生成回路３１から供給された極性信号ＰＯＬ２を極性信号ＰＯＬ２として容量電位線駆動回路２３に供給する。
【０１１１】
一方、逆方向を示す選択方向信号ＤＲが供給されると、スイッチＳＷ９〜ＳＷ１２のうち、スイッチＳＷ１０及びＳＷ１２のみがオン状態となり、ノードＮ３とノードＮ６とが導通するとともにノードＮ４とノードＮ５とが導通するから、極性信号供給回路７２は、極性信号生成回路３１から供給された極性信号ＰＯＬ１を極性信号ＰＯＬ２として容量電位線駆動回路２３に供給し、極性信号生成回路３１から供給された極性信号ＰＯＬ２を極性信号ＰＯＬ１として容量電位線駆動回路２３に供給する。
【０１１２】
つまり、容量電位線駆動回路２３では、Ｍ本の走査線１１が順方向に選択される場合と、逆方向に選択される場合とで、極性信号ＰＯＬ１と極性信号ＰＯＬ２とが入れ替わる。すなわち、容量電位線駆動回路２３に供給される極性信号ＰＯＬ１及びＰＯＬ２の波形は、Ｍ本の走査線１１が順方向に選択される場合には図１２に示す通りとなり、逆方向に選択される場合には図２２に示す通りとなる。
【０１１３】
容量電位線駆動回路２３内の単位回路Ｒ[m]の構成は図６に示す通りであるから、Ｍ本の走査線１１の選択方向が逆方向となっても、極性信号ＰＯＬ１と極性信号ＰＯＬ２とを入れ替えるだけで、図２２に示すように、Ｍ本の走査線１１の選択方向に適合した容量電位Ｖcom[m]が得られる。これが、Ｍ本の走査線１１の選択方向が逆方向の場合に極性信号ＰＯＬ１と極性信号ＰＯＬ２とを入れ替える理由である。
【０１１４】
以上の説明から明らかなように、液晶装置４００には、液晶装置１００の利点を損なうことなく、Ｍ本の走査線１１の選択方向を順方向と逆方向との間で切り換えることができるという利点がある。また、この利点が、Ｍ本の走査線１１の選択方向に同期して極性信号ＰＯＬ１と極性信号ＰＯＬ２とを入れ替えるだけで得られるというものも、液晶装置４００の利点である。
【０１１５】
＜５：第５実施形態＞
図２３は、本発明の第５実施形態に係る液晶装置５００の構成を示すブロック図である。液晶装置５００は、画像を表示する表示体として様々な電子機器に採用される液晶装置であり、図１９の液晶装置４００と同様の構成を有する。ただし、液晶装置５００では、液晶装置２００と同様に、駆動回路２０による交流駆動において、各液晶素子４０の印加電圧の極性（正極性／負極性）が、サブフィールド単位ではなく、フレーム単位で反転する。このため、液晶装置５００は、制御回路７０に代えて制御回路８０を備える。制御回路８０が制御回路７０と異なる点は、極性信号生成回路３１に代えて極性信号生成回路５１を備える点のみである。
【０１１６】
このような構成であることから、液晶装置５００の容量電位線駆動回路２３に供給される極性信号ＰＯＬ１及びＰＯＬ２の波形は、Ｍ本の走査線１１が順方向に選択される場合には図１６に示す通りとなり、逆方向に選択される場合には図２４に示す通りとなる。
【０１１７】
よって、液晶装置５００には、液晶装置２００の利点を損なうことなく、Ｍ本の走査線１１の選択方向を順方向と逆方向との間で切り換えることができるという利点がある。また、この利点が、Ｍ本の走査線１１の選択方向に同期して極性信号ＰＯＬ１と極性信号ＰＯＬ２とを入れ替えるだけで得られるというものも、液晶装置５００の利点である。
【０１１８】
＜６：変形例＞
以上の各実施形態には様々な変形が加えられる。具体的な変形の態様を以下に例示する。以下の例示から任意に選択された２以上の態様は併合され得る。
【０１１９】
（１）変形例１
上述した第３実施形態を変形し、Ｍ本の走査線１１の選択方向と同期して、極性信号ＰＯＬ１と極性信号ＰＯＬ２とを入れ替えるようにしてもよい。すなわち、第３及び第４実施形態を組み合わせてもよいし、上述した第３及び第５実施形態を組み合わせてもよい。
【０１２０】
（２）変形例２
上述した第３実施形態を変形し、表示する画像の種類（動画／静止画）を指定する種類指定信号Ｚが、制御回路６０外の上位装置（例えばコンピュータ）から供給されるようにしてもよい。また、種類指定信号Ｚが指定する種類を、動画／静止画以外のものとしてもよい。つまり、種類指定信号Ｚを、メニュー画像のようなコンピュータグラフィックスと写真のような自然画像との一方を指定する信号としてもよい。この場合、焼きつきが生じ易いのは自然画像よりもコンピュータグラフィックスの方であるから、コンピュータグラフィックスを表示する場合には、一時的に残留する直流成分の最大値（絶対値）の抑制に好適な第１処理を行い、自然画像を表示する場合には、表示品位の向上に好適な第２処理を行うことが好ましい。
【０１２１】
（３）変形例３
上述した各実施形態では、フレーム内のサブフィールドＳＦの数を４とし、フレームにて表示可能な階調数を１６とし、一つのフレーム内の各サブフィールドＳＦの時間長を２進加重の関係としたが、これに限るものではない。ただし、フレーム内のサブフィールドＳＦの数は偶数でなければならず、フレーム内のサブフィールドの長さ（重み）は異なっているものを含まなければならない。フレーム内のサブフィールドＳＦの数が奇数の場合や、フレーム内のサブフィールドの長さが互いに等しい場合には、第１処理や第２処理を行わなくとも、直流成分の残留を回避可能だからである。なお、フレーム内のサブフィールドＳＦの数をｑ（偶数）とした場合、容量電位Ｖcom[m]の極性は、第１処理では、各フレームにｑ＋１（奇数）回ずつ反転し、第２処理では、各フレームに２×ｑ−１（奇数）回ずつ反転することになる。また、フレーム以外の期間を単位期間としてもよい。
【０１２２】
（４）変形例４
画素回路ＰIXの構成を適宜に変更してもよい。例えば、容量素子やスイッチ等の回路要素を画素回路ＰIXに追加してもよいし、液晶素子４０として、印加電圧が０Ｖの場合に階調が最高（白色）となるノーマリーホワイトモードの液晶素子を採用してもよい。また、上述した各実施形態では、共通電位LCCOM＝０Ｖ、ＶdataＨ＝２．５Ｖ、ＶdataＬ＝−２．５Ｖとしたが、これに限るものではない。例えば、LCCOM＝２．５Ｖ、ＶdataＨ＝５Ｖ、ＶdataＬ＝０Ｖとしてもよい。
【０１２３】
（５）変形例５
上述した各実施形態では、高位側電位ＶcomＨ＝１．２５Ｖ、低位側電位ＶcomＬ＝−１．２５Ｖとしたが、これに限るものではない。
【０１２４】
（６）変形例６
上述した各実施形態では、極性信号ＰＯＬ１及びＰＯＬ２は電位について反転の関係にあるが、液晶装置の構成によっては、反転以外の関係としてもよい。裏を返せば、容量電位線駆動回路２３は、極性信号ＰＯＬ１及びＰＯＬ２を適宜に定めることにより、様々な構成の液晶装置（例えば各行に対応する走査線が複数本の液晶装置）に適用可能である。
【０１２５】
（７）変形例７
第１、第３及び第４実施形態の各々において容量電位線駆動回路２３が行う第１処理は、サブフィールドＳＦ４では、容量電位Ｖcom[m]の極性が反転した後の書込期間Ｈ[m-1]の開始時に容量電位Ｖcom[m]の極性を再度反転する、という処理であるから、再度の反転を次の書込期間Ｈ[m]の開始前に確実に完了することと、再度の反転による階調表示の精度の低下を十分に抑制することとを両立することができる。しかし、第１処理の内容は、これに限るものではない。
【０１２６】
例えば、完了の確実性よりも精度低下の抑制を重視し、サブフィールドＳＦ４では、容量電位Ｖcom[m]の極性が反転した後の書込期間Ｈ[m-1]において容量電位Ｖcom[m]の極性を再度反転する、という処理としてもよい。また例えば、精度低下の抑制よりも完了の確実性を重視し、サブフィールドＳＦ４では、容量電位Ｖcom[m]の極性が反転してから書込期間Ｈ[m-1]の開始までの期間において容量電位Ｖcom[m]の極性を再度反転する、という処理としてもよい。また例えば、完了の確実性も精度低下の抑制も考慮せず、サブフィールドＳＦ４では、容量電位Ｖcom[m]の極性が反転してから当該サブフィールドＳＦ４の終了までの期間において容量電位Ｖcom[m]の極性を再度反転する、という処理としてもよい。
【０１２７】
また、第２、第３及び第５実施形態の各々において容量電位線駆動回路２３が行う第２処理は、サブフィールドＳＦ１，ＳＦ２及びＳＦ３の各々では、容量電位Ｖcom[m]の極性を反転した後の書込期間Ｈ[m-1]の開始時に容量電位Ｖcom[m]の極性を再度反転する、という処理であるから、再度の反転を次の書込期間Ｈ[m]の開始前に確実に完了することと、再度の反転による階調表示の精度の低下を十分に抑制することとを両立することができる。しかし、第２処理の内容は、これに限るものではない。
【０１２８】
例えば、完了の確実性よりも精度低下の抑制を重視し、サブフィールドＳＦ１，ＳＦ２及びＳＦ３の各々では、容量電位Ｖcom[m]の極性が反転した後の書込期間Ｈ[m-1]において容量電位Ｖcom[m]の極性を再度反転する、という処理としてもよい。また例えば、精度低下の抑制よりも完了の確実性を重視し、サブフィールドＳＦ１，ＳＦ２及びＳＦ３の各々では、容量電位Ｖcom[m]の極性が反転してから書込期間Ｈ[m-1]の開始までの期間において容量電位Ｖcom[m]の極性を再度反転する、という処理としてもよい。また例えば、完了の確実性も精度低下の抑制も考慮せず、サブフィールドＳＦ１，ＳＦ２及びＳＦ３の各々では、容量電位Ｖcom[m]の極性が反転してから当該サブフィールドＳＦの終了までの期間において容量電位Ｖcom[m]の極性を再度反転する、という処理としてもよい。
【０１２９】
なお、書込期間Ｈ[0]〜Ｈ[M+1]の各々の長さは共通であり、書込期間Ｈ[m-1]が終了すると書込期間Ｈ[m]が開始するから、書込期間Ｈ[0]〜Ｈ[M+1]の各々の長さをＷとしたとき、サブフィールドＳＦにおける書込期間Ｈ[m-1]の開始時は、当該サブフィールドＳＦの終了からＷだけ前の時点でもあり、当該書込期間Ｈ[m-1]の終了時は、当該サブフィールドＳＦの終了時点でもある。また、以上の説明は、Ｍ本の走査線１１の選択方向が順方向の場合の説明である。この選択方向が逆方向の場合には、以上の説明において「Ｈ[m-1]」を「Ｈ[m+1]」と読み変えればよい。
【０１３０】
＜７：応用例＞
次に、以上の各態様に係る液晶装置を利用した電子機器について説明する。図２５ないし図２７には、液晶装置を表示装置６００として採用した電子機器の形態が図示されている。
【０１３１】
図２５は、表示装置６００を採用した可搬型のパーソナルコンピュータの構成を示す斜視図である。パーソナルコンピュータ２０００は、各種の画像を表示する表示装置６００と、電源スイッチ２００１やキーボード２００２が設置された本体部２０１０とを具備する。
【０１３２】
図２６は、表示装置６００を適用した携帯電話機の構成を示す斜視図である。携帯電話機３０００は、複数の操作ボタン３００１およびスクロールボタン３００２と、各種の画像を表示する表示装置６００とを備える。スクロールボタン３００２を操作することによって、表示装置６００に表示される表示領域がスクロールされる。
【０１３３】
図２７は、表示装置６００を適用した携帯情報端末（ＰＤＡ：Personal Digital Assistants）の構成を示す斜視図である。情報携帯端末４０００は、複数の操作ボタン４００１および電源スイッチ４００２と、各種の画像を表示する表示装置６００とを備える。電源スイッチ４００２を操作すると、住所録やスケジュール帳といった様々な情報が表示装置６００に表示される。
【０１３４】
なお、本発明に係る液晶装置が適用される電子機器としては、図２５から図２７に例示した機器のほか、プロジェクタ、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。
【符号の説明】
【０１３５】
１００，２００，３００，４００，５００……液晶装置、１０……素子部、１１……走査線、１２……信号線、１３……容量電位線、２０……駆動回路、２１，７１……走査線駆動回路、２２……信号線駆動回路、２３……容量線駆動回路、３０，５０，６０，７０，８０……制御回路、３１，５１，６１……極性信号生成回路、４１……画素電極、４２……共通電極、４０……液晶素子、６２……画像判別回路、７２……極性信号供給回路、Ａ……サンプリング回路、Ｂ……選択回路、ＢＦ１，ＢＦ２……バッファ回路、ＣS……蓄積容量、Ｎ１……第１ノード、Ｎ２……第２ノード、ＰIX……画素回路、ＰＯＬ１……第１の極性信号、ＰＯＬ２……第２の極性信号、Ｒ[1]〜Ｒ[M]……単位回路、ＳＷ１……第１スイッチ、ＳＷ２……第２スイッチ、ＳＷ３……第３スイッチ、ＳＷ４……第４スイッチ、ＴSL……選択スイッチ、６００……表示装置。
【図１】
2011107498.tif 000003
【図２】
2011107498.tif 000004
【図３】
2011107498.tif 000005
【図４】
2011107498.tif 000006
【図５】
2011107498.tif 000007
【図６】
2011107498.tif 000008
【図７】
2011107498.tif 000009
【図８】
2011107498.tif 000010
【図９】
2011107498.tif 000011
【図１０】
2011107498.tif 000012
【図１１】
2011107498.tif 000013
【図１２】
2011107498.tif 000014
【図１３】
2011107498.tif 000015
【図１４】
2011107498.tif 000016
【図１５】
2011107498.tif 000017
【図１６】
2011107498.tif 000018
【図１７】
2011107498.tif 000019
【図１８】
2011107498.tif 000020
【図１９】
2011107498.tif 000021
【図２０】
2011107498.tif 000022
【図２１】
2011107498.tif 000023
【図２２】
2011107498.tif 000024
【図２３】
2011107498.tif 000025
【図２４】
2011107498.tif 000026
【図２５】
2011107498.tif 000027
【図２６】
2011107498.tif 000028
【図２７】
2011107498.tif 000029
【図２８】
2011107498.tif 000030